(57)【要約】【課題】サービス継続性を維持する方法およびデバイスを提供する。【解決手段】サービス継続性を維持する方法は、基地局によって、MBMSサービスのスケジューリングの停止に関する、MCEによって送信された第1の通知を受信するステップと、基地局によって、MBMSサービススケジューリング停止情報をユーザ機器に通知することを送信するステップと、MBMSサービスのスケジューリングを継続するステップとを含む。このようにして、MCEがサービスのスケジューリングを停止した後にUEがサービスを受信する時に引き起こされるサービス中断時間が、有効に短縮され得る。【選択図】図１
2019083572.tif 000002
【特許請求の範囲】
【請求項１】
基地局によって、マルチメディアブロードキャストマルチキャストサービスMBMSサービスのスケジューリングの停止に関する、マルチセル/マルチキャスト調整エンティティによって送信された第1の通知を受信するステップであって、前記MBMSサービスのスケジューリングの停止に関する前記第1の通知は、前記マルチセル/マルチキャスト調整エンティティが前記MBMSサービスを一時停止すると決定する時に前記マルチセル/マルチキャスト調整エンティティによって前記基地局に送信される通知である、受信するステップと、
前記基地局によって、前記MBMSサービスのスケジューリングの停止に関する前記第1の通知に従って、MBMSサービススケジューリング停止情報をユーザ機器に送信するステップと、
前記基地局によって、所定の条件が満足されるまで前記MBMSサービスのスケジューリングを継続し、その後、前記MBMSサービスのスケジューリングを停止するステップと
を含む、サービス継続性を維持する方法。
【請求項２】
前記MBMSサービスのスケジューリングの停止に関する前記第1の通知は、前記MBMSサービスのスケジューリングの停止を遅延させるように前記基地局に命令するために、停止遅延指示を担持する、請求項1に記載の方法。
【請求項３】
前記所定の条件は、
前記MBMSサービスのスケジューリングの停止に関する、前記マルチセル/マルチキャスト調整エンティティによって送信された第2の通知が受信され、前記MBMSサービスのスケジューリングの停止に関する前記第2の通知は、前記基地局が前記MBMSサービスのスケジューリングを停止することを示すという条件、または、
前記MBMSサービスのスケジューリングの停止に関する前記第1の通知が受信された後に、前記MBMSサービスのスケジューリングの停止に関する前記第1の通知によって示された時点に達するという条件、または、
前記MBMSサービスのスケジューリングの停止に関する前記第1の通知が受信された後に、第1の所定の時間が経過するという条件、または、
前記MBMSサービスのスケジューリングの停止に関する前記第1の通知が受信された後に、第2の所定の時点に達するという条件
のうちの1つである、請求項2に記載の方法。
【請求項４】
前記MBMSサービスのスケジューリングの停止に関する前記第1の通知は、停止遅延時間長情報または所定の停止タイムスタンプ情報を含む、請求項2に記載の方法。
【請求項５】
前記MBMSサービスのスケジューリングの停止に関する前記第1の通知は、前記所定の条件が満足される時に前記MBMSサービスのスケジューリングが停止されることを示す、請求項1から4のいずれか一項に記載の方法。
【請求項６】
前記基地局は、前記MBMSサービスの構成情報を担持していないポイントツーマルチポイント制御チャネルメッセージを使用することによって、前記ユーザ機器に前記MBMSサービススケジューリング停止情報を送信する、請求項1から5のいずれか一項に記載の方法。
【請求項７】
前記基地局が、前記サービススケジューリング停止情報について前記ユーザ機器に通知するのと同時にまたはその後に、前記基地局は、前記MBMSサービスのスケジューリングの停止が遅延されることを前記ユーザ機器に通知するために前記停止遅延指示を送信する、請求項6に記載の方法。
【請求項８】
前記MBMSサービススケジューリング停止情報は、前記MBMSサービスのスケジューリングが停止されることを前記ユーザ機器に通知するために、前記MBMSサービスのスケジューリングが停止されることを示す指示を担持する、請求項1から5のいずれか一項に記載の方法。
【請求項９】
前記基地局は、ポイントツーマルチポイント制御チャネル、ページング制御チャネル、およびMBMS送信チャネルスケジューリング情報のうちの任意の1つを使用することによって、前記停止遅延指示または前記MBMSサービスのスケジューリングが停止されることを示す前記指示を送信する、請求項7または8に記載の方法。
【請求項１０】
ユーザ機器によって、基地局からMBMSサービススケジューリング停止情報を受信し、前記基地局がMBMSサービスのスケジューリングを停止すると決定するステップと、
前記ユーザ機器によって、前記MBMSサービスのスケジューリング情報をリスニングし続けるステップと、
前記MBMSサービスの前記スケジューリング情報に従って前記MBMSサービスを受信するステップと
を含む、サービス継続性を維持する方法。
【請求項１１】
前記MBMSサービスの前記スケジューリング情報が、前記MBMSサービスの構成情報をもはや含まない場合に、前記MBMSサービスの受信は、停止される
請求項10に記載の方法。
【請求項１２】
ユーザ機器によって、基地局からMBMSサービススケジューリング停止情報を受信する前記ステップは、前記ユーザ機器によって、ポイントツーマルチポイント制御チャネルメッセージを受信し、前記メッセージが前記MBMSサービスの前記構成情報を担持しないことに従って、前記基地局が前記MBMSサービスのスケジューリングを停止すると決定するステップを含む、請求項10または11に記載の方法。
【請求項１３】
前記MBMSサービススケジューリング停止情報は、前記MBMSサービスのスケジューリングが停止されることを示し、前記MBMSのスケジューリングが停止されることを前記ユーザ機器に示すのに使用される指示を担持し、前記ユーザ機器は、前記MBMSサービスのスケジューリングが停止されることを示す前記指示に従って、前記基地局が前記MBMSサービスのスケジューリングを停止すると決定する、請求項10に記載の方法。
【請求項１４】
前記ユーザ機器が、前記サービススケジューリング停止情報を受信するのと同時にまたはその後に、前記ユーザ機器は、前記基地局からMBMSサービス停止遅延指示を受信し、前記MBMSサービス停止遅延指示に従って、前記基地局が前記MBMSサービスのスケジューリングを停止すると決定する、請求項10に記載の方法。
【請求項１５】
前記停止遅延指示または前記MBMSサービスのスケジューリングが停止されることを示す前記指示は、ポイントツーマルチポイント制御チャネル、ページング制御チャネル、およびMBMS送信チャネルスケジューリング情報のうちの任意の1つを使用することによって受信される、請求項13または14に記載の方法。
【請求項１６】
前記方法は、前記基地局が前記MBMSサービスのスケジューリングを停止すると決定された後に、ユニキャストベアラの確立をトリガし、前記ユニキャストベアラが完全に確立された後に、前記MBMSサービスに対応するポイント・ツー・マルチポイント・トラフィック・チャネルを使用することによる前記MBMSサービスの受信を停止するステップをさらに含む、請求項10に記載の方法。
【請求項１７】
マルチセル/マルチキャスト調整エンティティによって、一時停止される必要があるMBMSサービスを決定するステップと、
MBMSサービススケジューリング停止通知を基地局に送信するステップであって、前記MBMSサービススケジューリング停止通知は、所定の条件が満足される時に前記MBMSサービスのスケジューリングが停止されることを前記基地局に通知し、前記MBMSサービスのスケジューリングを継続するように前記基地局に命令する、送信するステップと
を含む、サービス継続性を維持する方法。
【請求項１８】
前記MBMSサービススケジューリング停止通知は、前記基地局が所定の時間の間に前記MBMSサービスのスケジューリングを継続することを示すために、スケジューリングを継続するための所定の時間の時間長情報、所定の停止タイムスタンプ情報、またはMBMSサービス停止指示情報を含む、請求項17に記載の方法。
【請求項１９】
マルチセル/マルチキャスト調整エンティティによって、一時停止される必要があるMBMSサービスを決定する前記ステップは、
前記マルチセル/マルチキャスト調整エンティティによって、前記MBMSサービスを受信するユーザ機器に関する統計を実行するように前記基地局に命令するステップと、
前記基地局の統計応答に従って、前記MBMSサービスの前記ユーザ機器の量を決定し、前記MBMSサービスを受信する前記ユーザ機器の前記量が所定のしきい値未満である時に、前記MBMSサービスが一時停止される必要があると決定するステップと
を含む、請求項17または18に記載の方法。
【請求項２０】
MBMSサービススケジューリング停止通知を基地局に送信する前記ステップは、
MBMSスケジューリング情報を使用することによって、前記基地局の構成情報を更新するステップであって、前記更新された構成情報は、一時停止される必要がある前記MBMSサービスの構成情報をもはや担持せず、前記基地局に送信される前記MBMSサービススケジューリング停止通知として使用される、更新するステップ
を含む、請求項17から19のいずれか一項に記載の方法。
【請求項２１】
ユーザ機器によって報告され、グループサービスがマルチメディアブロードキャストマルチキャストサービス単一周波数ネットワークMBSFNを使用することによって受信されることを示す情報を、グループ通信サーバによって受信するステップと、
前記グループ通信サーバによって、前記グループサービスを受信するのに使用される前記MBSFNの送信の停止に関する通知をマルチセル/マルチキャスト調整エンティティから受信するステップと、
前記グループ通信サーバによって、前記グループサービスを受信するのに使用される前記MBSFNが停止された後に、前記ユーザ機器がユニキャストベアラを使用することによって前記グループサービスを受信し続けるようにするために、前記ユニキャストベアラを確立するように前記ユーザ機器に命令するステップと
を含む、サービス継続性を維持する方法。
【請求項２２】
前記MBSFNの送信の停止に関する前記通知は、そのスケジューリングが停止されるサービスに関する情報を含み、前記サービスに関する前記情報は、MBSFNエリア情報およびMBMS識別子のうちの少なくとも1つを含む、請求項21に記載の方法。
【請求項２３】
前記ユーザ機器が前記ユニキャストベアラを確立した後に、前記グループ通信サーバによって、前記MBSFNの送信を停止するように前記マルチセル/マルチキャスト調整エンティティに命令するステップ
をさらに含む、請求項21または22に記載の方法。
【請求項２４】
マルチセル/マルチキャスト調整エンティティによって、停止される必要があるMBSFNの送信を決定するステップと、
グループ通信サーバが、ユニキャストベアラを確立するように前記ユーザ機器に命令し、前記MBSFNの送信が停止された後に、前記ユーザ機器が前記MBSFNの代わりに前記ユニキャストベアラを使用することによってグループサービスを受信し続けるようにするために、前記MBSFNの送信が停止されることを前記グループ通信サーバに通知するステップと
を含む、サービス継続性を維持する方法。
【請求項２５】
マルチセル/マルチキャスト調整エンティティによって、停止される必要があるMBSFNの送信を決定する前記ステップは、
前記マルチセル/マルチキャスト調整エンティティによって、MBMSサービスを受信するユーザ機器に関する統計を実行するように基地局に命令するステップと、
前記基地局の統計応答に従って、前記MBMSサービスの前記ユーザ機器の量を決定し、前記MBMSサービスを受信する前記ユーザ機器の前記量が所定のしきい値未満である時に、前記MBMSサービスのMBSFN送信の形が停止される必要があると決定するステップと
を含む、請求項24に記載の方法。
【請求項２６】
前記MBSFNの送信が停止されることを示す前記通知は、そのスケジューリングが停止されるサービスに関する情報を含み、前記サービスに関する前記情報は、MBSFNエリア情報およびMBMS識別子のうちの少なくとも1つを含む、請求項24または25に記載の方法。
【請求項２７】
ユーザ機器によって、グループサービスがマルチメディアブロードキャストマルチキャストサービス単一周波数ネットワークMBSFNを使用することによって受信されることを示す情報をグループ通信サーバに報告するステップと、
前記グループ通信サーバのユニキャストベアラ確立通知に従ってユニキャストベアラを確立し、搬送されるグループサービスのスケジューリング情報をリスニングし続けるステップと
を含む、サービス継続性を維持する方法。
【請求項２８】
前記グループサービスに関する情報は、MBSFNエリア情報およびMBMS識別子のうちの少なくとも1つを含む、請求項27に記載の方法。
【請求項２９】
ユーザ機器によって、グループサービスがMBSFNを使用することによって受信されることを示す情報をグループ通信サーバに報告する前記ステップの前に、
前記ユーザ機器によって、前記グループ通信サーバに登録するステップ
をさらに含む、請求項27または28に記載の方法。
【請求項３０】
前記ユニキャストベアラが完全に確立された後に、前記ユーザ機器によって、前記搬送されるグループサービスの前記スケジューリング情報のリスニングを停止するステップ
をさらに含む、請求項27から29のいずれか一項に記載の方法。
【請求項３１】
受信モジュールとスケジューリングモジュールとを含み、
前記受信モジュールは、マルチメディアブロードキャストマルチキャストサービスMBMSサービスのスケジューリングの停止に関する、マルチセル/マルチキャスト調整エンティティによって送信された第1の通知を受信するように構成され、前記MBMSサービスのスケジューリングの停止に関する前記第1の通知は、前記マルチセル/マルチキャスト調整エンティティが前記MBMSサービスを一時停止すると決定する時に前記マルチセル/マルチキャスト調整エンティティによって前記基地局に送信される通知であり、
前記スケジューリングモジュールは、前記受信モジュールが前記MBMSサービスのスケジューリングの停止に関する前記第1の通知を受信した後に、MBMSサービススケジューリング停止情報をユーザ機器に送信し、所定の条件が満足されるまで前記MBMSサービスのスケジューリングを継続し、その後、前記MBMSサービスのスケジューリングを停止するように構成される
基地局。
【請求項３２】
前記MBMSサービスのスケジューリングの停止に関する前記第1の通知は、前記MBMSサービスのスケジューリングの停止を遅延させるように前記基地局に命令するために、停止遅延指示を担持する、請求項31に記載の基地局。
【請求項３３】
前記受信モジュールが、前記MBMSサービスのスケジューリングの停止に関する、前記マルチセル/マルチキャスト調整エンティティによって送信された第2の通知を受信し、前記MBMSサービスのスケジューリングの停止に関する前記第2の通知は、前記基地局が前記MBMSサービスがスケジューリングを停止することのスケジューリングを停止することを示すという条件、または、
前記受信モジュールが前記MBMSサービスのスケジューリングの停止に関する前記第1の通知を受信した後に、前記MBMSサービスのスケジューリングの停止に関する前記第1の通知によって示された時点に達するという条件、または、
前記受信モジュールが前記MBMSサービスのスケジューリングの停止に関する前記第1の通知を受信した後に、第1の所定の時間が経過するという条件
のうちの1つが満足される時に、前記スケジューリングモジュールは、前記MBMSサービスのスケジューリングを停止する、請求項32に記載の基地局。
【請求項３４】
前記MBMSサービスのスケジューリングの停止に関する前記第1の通知は、停止遅延時間長情報または所定の停止タイムスタンプ情報を含む、請求項32に記載の基地局。
【請求項３５】
前記MBMSサービスのスケジューリングの停止に関する前記第1の通知は、前記所定の条件が満足される時に前記MBMSサービスのスケジューリングが停止されることを示す、請求項31から34のいずれか一項に記載の基地局。
【請求項３６】
前記スケジューリングモジュールは、前記MBMSサービスの構成情報を担持していないポイントツーマルチポイント制御チャネルメッセージを使用することによって、前記ユーザ機器に前記MBMSサービススケジューリング停止情報を送信する、請求項31から35のいずれか一項に記載の基地局。
【請求項３７】
前記スケジューリングモジュールが、前記サービススケジューリング停止情報について前記ユーザ機器に通知するのと同時にまたはその後に、前記スケジューリングモジュールは、前記MBMSサービスのスケジューリングの停止が遅延されることを前記ユーザ機器に通知するために停止遅延指示を送信する、請求項36に記載の基地局。
【請求項３８】
前記MBMSサービススケジューリング停止情報は、前記MBMSサービスのスケジューリングが停止されることを前記ユーザ機器に通知するために、前記MBMSサービスのスケジューリングが停止されることを示す指示を担持する、請求項31から35のいずれか一項に記載の基地局。
【請求項３９】
前記スケジューリングモジュールは、ポイントツーマルチポイント制御チャネル、ページング制御チャネル、およびMBMS送信チャネルスケジューリング情報のうちの任意の1つを使用することによって、前記停止遅延指示または前記MBMSサービスのスケジューリングが停止されることを示す前記指示を送信する、請求項37または38に記載の基地局。
【請求項４０】
第1の受信モジュールと、リスニングモジュールと、第2の受信モジュールとを含み、
前記第1の受信モジュールは、基地局からMBMSサービススケジューリング停止情報を受信し、前記基地局がMBMSサービスのスケジューリングを停止すると決定するように構成され、
前記リスニングモジュールは、前記第1の受信モジュールが、所定の条件が満足される時に前記基地局が前記MBMSサービスのスケジューリングを停止すると決定した後に、前記MBMSサービスのスケジューリング情報をリスニングし続けるように構成され、
前記第2の受信モジュールは、前記リスニングモジュールによってリスニングされ入手される前記MBMSサービスの前記スケジューリング情報に従って前記MBMSサービスを受信するように構成される
ユーザ機器。
【請求項４１】
前記MBMSサービスの前記スケジューリング情報が、前記MBMSサービスの構成情報をもはや含まない場合に、前記第2の受信モジュールは、前記MBMSサービスの受信を停止する、請求項40に記載のユーザ機器。
【請求項４２】
前記第1の受信モジュールは、ポイントツーマルチポイント制御チャネルメッセージを受信し、前記メッセージが前記MBMSサービスの前記構成情報を担持しないことに従って、前記基地局が前記MBMSサービスのスケジューリングを停止すると決定するように構成される、請求項40または41に記載のユーザ機器。
【請求項４３】
前記MBMSサービススケジューリング停止情報は、前記MBMSサービスのスケジューリングが停止されることを示し、前記MBMSサービスのスケジューリングが停止されることを前記ユーザ機器に示すのに使用される指示を担持し、前記リスニングモジュールは、前記MBMSサービスのスケジューリングが停止されることを示す前記指示に従って、前記基地局が前記MBMSサービスのスケジューリングを停止すると決定するように構成される、請求項40に記載のユーザ機器。
【請求項４４】
前記第1の受信モジュールは、前記サービススケジューリング停止情報を受信するのと同時にまたはその後に、前記基地局からMBMSサービス停止遅延指示を受信するように構成され、前記リスニングモジュールは、前記MBMSサービス停止遅延指示に従って、前記基地局が前記MBMSサービスのスケジューリングを停止すると決定するように構成される、請求項40に記載のユーザ機器。
【請求項４５】
前記第1の受信モジュールは、ポイントツーマルチポイント制御チャネル、ページング制御チャネル、およびMBMS送信チャネルスケジューリング情報のうちの任意の1つを使用することによって、前記停止遅延指示または前記MBMSサービスのスケジューリングが停止されることを示す前記指示を受信する、請求項43または44に記載のユーザ機器。
【請求項４６】
前記ユーザ機器は、ユニキャスト確立モジュールをさらに含み、前記ユニキャスト確立モジュールは、前記ユーザ機器が、前記基地局が前記MBMSサービスのスケジューリングを停止すると決定した後に、ユニキャストベアラの確立をトリガするように構成され、
前記ユニキャストベアラが完全に確立された後に、前記第2の受信モジュールは、前記MBMSサービスに対応するポイント・ツー・マルチポイント・トラフィック・チャネルを使用することによる前記MBMSサービスの受信を停止する
請求項40に記載のユーザ機器。
【請求項４７】
決定モジュールとスケジューリングモジュールとを含み、
前記決定モジュールは、一時停止される必要があるMBMSサービスを決定するように構成され、
前記スケジューリングモジュールは、前記決定モジュールが一時停止される必要がある前記MBMSサービスを決定した後に、MBMSサービススケジューリング停止通知を基地局に送信するように構成され、前記MBMSサービススケジューリング停止通知は、所定の条件が満足される時に前記MBMSサービスのスケジューリングが停止されることを前記基地局に通知し、前記スケジューリングモジュールは、前記MBMSサービスのスケジューリングを継続するように前記基地局に命令する
マルチセル/マルチキャスト調整エンティティ。
【請求項４８】
前記MBMSサービススケジューリング停止通知は、前記基地局が所定の時間の間に前記MBMSサービスのスケジューリングを継続することを示すために、スケジューリングを継続するための所定の時間の時間長情報、所定の停止タイムスタンプ情報、またはMBMSサービスが停止されることを示す指示情報を含む、請求項47に記載のマルチセル/マルチキャスト調整エンティティ。
【請求項４９】
前記決定モジュールは、前記MBMSサービスを受信するユーザ機器に関する統計を実行するように前記基地局に命令することによって、前記基地局の統計応答に従って、前記MBMSサービスの前記ユーザ機器の量を決定し、前記MBMSサービスを受信する前記ユーザ機器の前記量が所定のしきい値未満である時に、前記MBMSサービスのMBSFN送信の形が一時停止される必要があると決定するように構成される、請求項47または48に記載のマルチセル/マルチキャスト調整エンティティ。
【請求項５０】
前記スケジューリングモジュールは、MBMSスケジューリング情報を使用することによって、前記基地局の構成情報を更新し、前記更新された構成情報は、一時停止される必要がある前記MBMSサービスの構成情報をもはや担持せず、前記基地局に送信される前記MBMSサービススケジューリング停止通知として使用される、請求項47から49のいずれか一項に記載のマルチセル/マルチキャスト調整エンティティ。
【請求項５１】
プロセッサと、受信器と、送信器と、メモリとを含み、前記プロセッサは、前記受信器と、前記送信器と、前記メモリとに別々に結合され、
前記プロセッサは、マルチメディアブロードキャストマルチキャストサービスMBMSサービスのスケジューリングの停止に関する、マルチセル/マルチキャスト調整エンティティによって送信された第1の通知を受信するために前記受信器を制御するように構成され、前記MBMSサービスのスケジューリングの停止に関する前記第1の通知は、前記マルチセル/マルチキャスト調整エンティティが前記MBMSサービスを一時停止すると決定する時に前記マルチセル/マルチキャスト調整エンティティによって前記基地局に送信される通知であり、前記プロセッサは、前記MBMSサービスのスケジューリングの停止に関する前記第1の通知が受信された後に、MBMSサービススケジューリング停止情報をユーザ機器に送信するために前記送信器を制御するようにさらに構成され、前記プロセッサは、所定の条件が満足されるまで前記MBMSサービスのスケジューリングを継続し、その後、前記MBMSサービスのスケジューリングを停止し、
前記メモリは、前記MBMSデータを記憶するように構成される
基地局。
【請求項５２】
プロセッサと、受信器と、メモリとを含み、前記プロセッサは、前記受信器と、前記メモリとに別々に結合され、
前記プロセッサは、基地局からMBMSサービススケジューリング停止情報を受信するために前記受信器を制御し、所定の条件が満足される時に前記基地局がMBMSサービスのスケジューリングを停止すると決定し、前記MBMSサービスのスケジューリング情報をリスニングし続け、前記プロセッサによってリスニングされ入手された前記MBMSサービスの前記スケジューリング情報に従って前記MBMSサービスを受信するために前記受信器を制御するように構成され、
前記メモリは、MBMSサービスデータを記憶するように構成される
ユーザ機器。
【請求項５３】
プロセッサと、送信器と、メモリとを含み、前記プロセッサは、前記送信器と、前記メモリとに別々に結合され、
前記プロセッサは、一時停止される必要があるMBMSサービスを決定し、MBMSサービススケジューリング停止通知を基地局に送信するために前記送信器を制御するように構成され、前記MBMSサービススケジューリング停止通知は、所定の条件が満足される時に前記MBMSサービスのスケジューリングが停止されることを前記基地局に通知し、前記プロセッサは、前記MBMSサービスのスケジューリングを継続するように前記基地局に命令し、
前記メモリは、MBMSサービスデータを記憶するように構成される
マルチセル/マルチキャスト調整エンティティ。
【請求項５４】
第1の受信モジュールと、第2の受信モジュールと、通知モジュールとを含み、
前記第1の受信モジュールは、ユーザ機器によって報告され、グループサービスがマルチメディアブロードキャストマルチキャストサービス単一周波数ネットワークMBSFNを使用することによって受信されることを示す情報を受信するように構成され、
前記第2の受信モジュールは、前記グループサービスを受信するのに使用される前記MBSFNの送信の停止に関する通知をマルチセル/マルチキャスト調整エンティティから受信するように構成され、
前記通知モジュールは、前記グループサービスを受信するのに使用される前記MBSFNが停止された後に、前記ユーザ機器がユニキャストベアラを使用することによって前記グループサービスを受信し続けるようにするために、前記ユニキャストベアラを確立するように前記ユーザ機器に命令するように構成される
グループ通信サーバ。
【請求項５５】
前記MBSFNの送信の停止に関する前記通知は、そのスケジューリングが停止されるサービスに関する情報を含み、前記サービスに関する前記情報は、MBSFN情報およびMBMS識別子のうちの少なくとも1つを含む、請求項54に記載のグループ通信サーバ。
【請求項５６】
前記通知モジュールは、前記ユーザ機器が前記ユニキャストベアラを確立した後に、前記MBSFNの送信を停止するように前記マルチセル/マルチキャスト調整エンティティに命令するようにさらに構成される、請求項54または55に記載のグループ通信サーバ。
【請求項５７】
決定モジュールと通知モジュールとを含み、
前記決定モジュールは、停止される必要があるMBSFNの送信を決定するように構成され、
前記通知モジュールは、前記決定モジュールが停止される必要がある前記MBSFNの送信を決定した後に、グループ通信サーバが、ユニキャストベアラを確立するようにユーザ機器に命令し、前記MBSFNの送信が停止された後に、前記ユーザ機器が前記MBSFNの代わりに前記ユニキャストベアラを使用することによってグループサービスを受信し続けるようにするために、前記MBSFNの送信が停止されることを前記グループ通信サーバに通知するように構成される
マルチセル/マルチキャスト調整エンティティ。
【請求項５８】
前記決定モジュールは、MBMSサービスのユーザ機器に関する統計を実行するように基地局に命令することによって、前記基地局の統計応答に従って、前記MBMSサービスの前記ユーザ機器の量を決定し、前記MBMSサービスを受信する前記ユーザ機器の前記量が所定のしきい値未満である時に、前記MBMSサービスのMBSFN送信の形が停止される必要があると決定する、請求項57に記載のマルチセル/マルチキャスト調整エンティティ。
【請求項５９】
前記MBSFNの送信の停止に関する前記通知は、そのスケジューリングが停止されるサービスに関する情報を含み、前記サービスに関する前記情報は、MBSFN情報およびMBMS識別子のうちの少なくとも1つを含む、請求項57または58に記載のマルチセル/マルチキャスト調整エンティティ。
【請求項６０】
報告モジュールとユニキャストベアラ確立モジュールとを含み、
前記報告モジュールは、グループサービスがマルチメディアブロードキャストマルチキャストサービス単一周波数ネットワークMBSFNを使用することによって受信されることを示す情報をグループ通信サーバに報告するように構成され、
前記ユニキャストベアラ確立モジュールは、前記グループ通信サーバのユニキャストベアラ確立通知に従ってユニキャストベアラを確立し、搬送されるグループサービスのスケジューリング情報をリスニングし続けるように構成される
ユーザ機器。
【請求項６１】
前記グループサービスに関する前記情報は、MBSFN情報およびMBMS識別子のうちの少なくとも1つを含む、請求項60に記載のユーザ機器。
【請求項６２】
前記報告モジュールは、前記グループ通信サーバに登録するようにさらに構成される、請求項60または61に記載のユーザ機器。
【請求項６３】
前記ユニキャストベアラが完全に確立された後に、前記ユニキャストベアラ確立モジュールは、前記搬送されるグループサービスの前記スケジューリング情報のリスニングを停止する、請求項60から62のいずれか一項に記載のユーザ機器。
【請求項６４】
プロセッサと、受信器と、メモリとを含み、前記プロセッサは、前記受信器と、前記メモリとに別々に結合され、
前記プロセッサは、ユーザ機器によって報告され、グループサービスがマルチメディアブロードキャストマルチキャストサービス単一周波数ネットワークMBSFNを使用することによって受信されることを示す情報を受信するために前記受信器を制御し、前記グループサービスを受信するのに使用される前記MBSFNの送信の停止に関する通知をマルチセル/マルチキャスト調整エンティティから受信するために前記受信器を制御し、前記グループサービスを受信するのに使用される前記MBSFNが停止された後に、前記ユーザ機器がユニキャストベアラを使用することによって前記グループサービスを受信し続けるようにするために、前記ユニキャストベアラを確立するように前記ユーザ機器に命令するように構成され、
前記メモリは、グループサービスデータを記憶するように構成される
グループ通信サーバ。
【請求項６５】
プロセッサと、送信器と、メモリとを含み、前記プロセッサは、前記送信器と、前記メモリとに別々に結合され、
前記プロセッサは、停止される必要があるMBSFNの送信を決定し、グループ通信サーバが、ユニキャストベアラを確立するようにユーザ機器に命令し、前記MBSFNの送信が停止された後に、前記ユーザ機器が、前記MBSFNの代わりに前記ユニキャストベアラを使用することによって前記グループサービスを受信し続けるようにするために、前記MBSFNの送信が停止されることを前記グループ通信サーバに通知するために、前記グループ通信サーバに通知を送信するために前記送信器を制御するように構成され、
前記メモリは、データを記憶するように構成される
マルチセル/マルチキャスト調整エンティティ。
【請求項６６】
プロセッサと、受信器と、メモリとを含み、前記プロセッサは、前記受信器と、前記メモリとに別々に結合され、
前記プロセッサは、グループサービスがマルチメディアブロードキャストマルチキャストサービス単一周波数ネットワークMBSFNを使用することによって受信されることを示す情報をグループ通信サーバに報告し、前記グループ通信サーバの通知を受信するために前記受信器を制御し、前記グループ通信サーバのユニキャストベアラ確立通知に従ってユニキャストベアラを確立し、搬送されるグループサービスのスケジューリング情報をリスニングし続けるように構成され、
前記メモリは、データを記憶するように構成される
ユーザ機器。
【発明の詳細な説明】
【技術分野】
【０００１】
本発明は、通信の分野に関し、具体的には、サービス継続性を維持する方法およびデバイスに関する。
【背景技術】
【０００２】
マルチメディアブロードキャストマルチキャストサービス(MBMS、Multimedia Broadcast Multicast Service)は、ブロードキャストチャネルを使用することによって複数のユーザ機器(UE、User Equipment)に同一のサービスを同時に送信する技術であり、同一のサービスを受信するUEのグループは、同一のダウンリンク構成を使用することによってサービスを受信し、UEごとにリンクを確立する必要はない。
【０００３】
マルチメディアブロードキャストマルチキャストサービス単一周波数ネットワーク(MBSFN、Multimedia Broadcast Multicast Service Single Frequency Network)は、同期送信が、複数のセル内で同時に同一周波数で実行される送信の形であり、この送信の形を使用することによって、周波数リソースが有効に減少され得、スペクトル利用が改善され得、カバレージが改善され得る。
【０００４】
マルチセル/マルチキャスト調整エンティティ(MCE、Multicast Coordination Entity)は、論理エンティティであり、MBSFN送信に使用される複数のMBSFNエリアが、構成され得、無線リソースは、MBSFN送信のためのMBSFNエリア内のすべてのevolved NodeB (eNB、Evolved Node B)に割り振られる。
【０００５】
MCEは、統計的な形で、サービスを受信するUEに関する統計を実行するように命令し、サービスを受信するUEの量が特定の量より少ない時には、MCEは、サービスのMBSFN送信を一時停止すると決定することができる。特定の実施プロセスは、次の通りである。MCEは、サービスのMBSFN送信を一時停止すると決定し、MBMSスケジューリング情報を使用することによってeNBの構成を更新し、サービスに関する情報は、もはや新しい構成において搬送されず、eNBは、サービス構成を更新するようにUEに命令し、サービスに関する情報は、もはや新しいサービス構成において搬送されず、更新されたサービス構成を受信した後に、サービスが新しい構成情報に含まれないことをUEが見つける場合に、UEは、そのサービスが停止されていると考え、UEが、そのサービスを受信し続けることを期待する場合には、UEは、ユニキャストサービスの確立をもう一度トリガする必要があり、ユニキャストサービスを使用することによってMBMSサービスを受信し続ける。
【０００６】
これからわかるように、MCEがMBMSサービスのMBSFN送信を一時停止する場合に、サービスのMBSFN送信が一時停止されたことを検出した後に、UEは、MBMSサービスを受信し続けるためにユニキャストベアラを確立する必要がある。MBMSサービスは、ユニキャストベアラが完全に確立されるまで、受信され続けることができない。ユニキャストベアラを確立するにはある時間期間を要する必要があるので、UEによるサービスの受信は、この時間期間内は中断される。
【発明の概要】
【課題を解決するための手段】
【０００７】
MCEがサービスのスケジューリングを停止すると決定した後に、そのサービスを受信し続ける必要があるUEは、ユニキャストベアラを確立する必要がある。本願によって主に解決される技術的問題は、ユニキャストベアラを確立するプロセスにおいて引き起こされるサービス中断時間をどのように短縮するかである。
【０００８】
これに鑑みて、本願は、MCEがサービスのスケジューリングを停止した後にUEがサービスを受信する時に引き起こされるサービス中断時間を有効に短縮することができる、サービス継続性を維持する方法およびデバイスを提供する。
【０００９】
第1の態様によれば、本願は、基地局によって、マルチメディアブロードキャストマルチキャストサービスMBMSサービスのスケジューリングの停止に関する、マルチセル/マルチキャスト調整エンティティによって送信された第1の通知を受信するステップであって、MBMSサービスのスケジューリングの停止に関する第1の通知は、マルチセル/マルチキャスト調整エンティティがMBMSサービスを一時停止すると決定する時にマルチセル/マルチキャスト調整エンティティによって基地局に送信される通知である、受信するステップと、基地局によって、MBMSサービスのスケジューリングの停止に関する第1の通知に従って、MBMSサービススケジューリング停止情報をユーザ機器に送信するステップと、基地局によって、所定の条件が満足されるまでMBMSサービスのスケジューリングを継続し、その後、MBMSサービスのスケジューリングを停止するステップとを含む、サービス継続性を維持する方法を提供する。
【００１０】
第1の態様に関連して、第1の態様の第1の可能な実施の形において、MBMSサービスのスケジューリングの停止に関する第1の通知は、MBMSサービスのスケジューリングの停止を遅延させるように基地局に命令するために、停止遅延指示を担持する。
【００１１】
第1の態様または第1の態様の第1の可能な実施の形に関連して、第1の態様の第2の可能な実施の形において、所定の条件は、MBMSサービスのスケジューリングの停止に関する、マルチセル/マルチキャスト調整エンティティによって送信された第2の通知が受信され、MBMSサービスのスケジューリングの停止に関する第2の通知は、基地局がMBMSサービスのスケジューリングを停止することを示すという条件、または、MBMSサービスのスケジューリングの停止に関する第1の通知が受信された後に、MBMSサービスのスケジューリングの停止に関する第1の通知によって示された時点に達するという条件、または、MBMSサービスのスケジューリングの停止に関する第1の通知が受信された後に、第1の所定の時間が経過するという条件、または、MBMSサービスのスケジューリングの停止に関する第1の通知が受信された後に、第2の所定の時点に達するという条件のうちの1つである。
【００１２】
第1の態様の第1の可能な実施の形に関連して、第1の態様の第3の可能な実施の形において、MBMSサービスのスケジューリングの停止に関する第1の通知は、停止遅延時間長情報または所定の停止タイムスタンプ情報を含む。
【００１３】
第1の態様および第1の態様の第1から第3の可能な実施の形のいずれかに関連して、第1の態様の第4の可能な実施の形において、MBMSサービスのスケジューリングの停止に関する第1の通知は、所定の条件が満足される時にMBMSサービスのスケジューリングが停止されることを示す。
【００１４】
第1の態様および第1の態様の第1から第4の可能な実施の形のいずれかに関連して、第1の態様の第5の可能な実施の形において、基地局は、MBMSサービスの構成情報を担持していないポイントツーマルチポイント制御チャネルメッセージを使用することによって、ユーザ機器にMBMSサービススケジューリング停止情報を送信する。
【００１５】
第1の態様の第5の可能な実施の形に関連して、第1の態様の第6の可能な実施の形において、基地局が、サービススケジューリング停止情報についてユーザ機器に通知するのと同時にまたはその後に、基地局は、MBMSサービスのスケジューリングの停止が遅延されることをユーザ機器に通知するために停止遅延指示を送信する。
【００１６】
第1の態様および第1の態様の第1から第4の可能な実施の形のいずれかに関連して、第1の態様の第7の可能な実施の形において、MBMSサービススケジューリング停止情報は、MBMSサービスのスケジューリングが停止されることをユーザ機器に通知するために、スケジューリングが停止されることを示す指示を担持し、ユーザ機器は、MBMSサービススケジューリング停止通知が受信されるまで、MBMSサービスを受信し続ける。
【００１７】
第1の態様の第6または第7の可能な実施の形に関連して、第1の態様の第8の可能な実施の形において、基地局は、ポイントツーマルチポイント制御チャネル、ページング制御チャネル、およびMBMS送信チャネルスケジューリング情報のうちの任意の1つを使用することによって、停止遅延指示を送信する。
【００１８】
第2の態様によれば、本願は、ユーザ機器によって、基地局からMBMSサービススケジューリング停止情報を受信し、基地局がMBMSサービスのスケジューリングを停止すると決定するステップと、ユーザ機器によって、MBMSサービスのスケジューリング情報をリスニングし続けるステップと、MBMSサービスのスケジューリング情報に従ってMBMSサービスを受信するステップとを含む、サービス継続性を維持する方法を提供する。
【００１９】
第2の態様に関連して、第2の態様の第1の可能な実施の形において、MBMSサービスのスケジューリング情報が、MBMSサービスの構成情報をもはや含まない場合に、MBMSサービスの受信は、停止される。
【００２０】
第2の態様または第2の態様の第1の可能な実施の形に関連して、第2の態様の第2の可能な実施の形において、ユーザ機器によって、基地局からMBMSサービススケジューリング停止情報を受信するステップは、ユーザ機器によって、ポイントツーマルチポイント制御チャネルメッセージを受信し、メッセージがMBMSサービスの構成情報を担持しないことに従って、基地局がMBMSサービスのスケジューリングを停止すると決定するステップを含む。
【００２１】
第2の態様に関連して、第2の態様の第3の可能な実施の形において、MBMSサービススケジューリング停止情報は、MBMSサービスが停止されることを示し、MBMSサービスのスケジューリングが停止されることをユーザ機器に示すのに使用される指示を担持し、ユーザ機器は、MBMSサービススケジューリング停止通知が受信されるまで、停止遅延指示に従って、MBMSサービスのスケジューリング情報をリスニングし続ける。
【００２２】
第2の態様に関連して、第2の態様の第4の可能な実施の形において、ユーザ機器が、サービススケジューリング停止情報を受信するのと同時にまたはその後に、ユーザ機器は、基地局からMBMSサービス停止遅延指示を受信し、MBMSサービス停止遅延指示に従って、MBMSサービスのスケジューリング情報をリスニングし続ける。
【００２３】
第2の態様の第3または第4の可能な実施の形に関連して、第2の態様の第5の可能な実施の形において、停止遅延指示は、ポイントツーマルチポイント制御チャネル、ページング制御チャネル、およびMBMS送信チャネルスケジューリング情報のうちの任意の1つを使用することによって受信される。
【００２４】
第2の態様に関連して、第2の態様の第6の可能な実施の形において、第2の態様の第7の可能な実施の形において、方法は、ユーザ機器によって、MBMSサービスのスケジューリングが停止されると決定するステップと、ユーザ機器が、基地局がMBMSサービスをスケジューリングすることを停止した後にMBMSサービスを受信し続ける必要がある場合に、ユニキャストベアラの確立をトリガするステップと、ユニキャストベアラが完全に確立された後に、MBMSサービスに対応するポイント・ツー・マルチポイント・トラフィック・チャネルを使用することによるMBMSサービスの受信を停止するステップとをさらに含み、ユニキャストベアラの確立をトリガするするプロセスは、MBMSサービスが受信され続けることができないことを示す指示をユーザ機器のアクセス層によってユーザ機器の上位層に送信するステップと、MBMSサービスが受信され続けることができないことを示す指示をユーザ機器の上位層によってアプリケーションサーバに送信するステップと、ユニキャストベアラ確立トリガ要求をアプリケーションサーバによってユーザ機器に送信するステップと、トリガ要求に従って、ユーザ機器によってユニキャストベアラの確立をトリガするステップとを含む。
【００２５】
第3の態様によれば、本願は、マルチセル/マルチキャスト調整エンティティによって、一時停止される必要があるMBMSサービスを決定するステップと、MBMSサービススケジューリング停止通知を基地局に送信するステップであって、MBMSサービススケジューリング停止通知は、所定の条件が満足される時にMBMSサービスのスケジューリングが停止されることを基地局に通知し、MBMSサービスのスケジューリングを継続するように基地局に命令する、送信するステップとを含む、サービス継続性を維持する方法を提供する。
【００２６】
第3の態様に関連して、第3の態様の第1の可能な実施の形において、MBMSサービススケジューリング停止通知は、基地局が所定の時間の間にMBMSサービスのスケジューリングを継続することを示すために、スケジューリングを継続するための所定の時間の時間長情報、所定の停止タイムスタンプ情報、またはMBMSサービス停止指示情報を含む。
【００２７】
第3の態様または第3の態様の第1の可能な実施の形に関連して、第3の態様の第2の可能な実施の形において、マルチセル/マルチキャスト調整エンティティによって、一時停止される必要があるMBMSサービスを決定するステップは、マルチセル/マルチキャスト調整エンティティによって、MBMSサービスを受信するユーザ機器に関する統計を実行するように基地局に命令するステップと、基地局の統計応答に従って、MBMSサービスのユーザ機器の量を決定し、MBMSサービスを受信するユーザ機器の量が所定のしきい値未満である時に、MBMSサービスが一時停止される必要があると決定するか、マルチセル/マルチキャスト調整エンティティによって、MBMSサービスを一時停止するためにアプリケーションサーバによって送信される要求情報を受信するステップとを含む。
【００２８】
第3の態様と第3の態様の第1および第2の可能な実施の形のいずれかに関連して、第3の態様の第3の可能な実施の形において、MBMSサービススケジューリング停止通知を基地局に送信するステップは、MBMSスケジューリング情報を使用することによって、基地局の構成情報を更新するステップであって、更新された構成情報は、一時停止される必要があるMBMSサービスの構成情報をもはや担持せず、基地局に送信されるMBMSサービススケジューリング停止通知として使用される、更新するステップを含む。
【００２９】
第4の態様によれば、本願は、ユーザ機器によって報告され、グループサービスがマルチメディアブロードキャストマルチキャストサービス単一周波数ネットワークMBSFNを使用することによって受信されることを示す情報を、グループ通信サーバによって受信するステップと、グループ通信サーバによって、グループサービスを受信するのに使用されるMBSFNの送信の停止に関する通知をマルチセル/マルチキャスト調整エンティティから受信し、グループ通信サーバによって、MBSFNの送信の停止に関する通知に従って、MBSFNの送信が停止されると決定するステップと、グループ通信サーバによって、グループサービスを受信するのに使用されるMBSFNが停止された後に、ユーザ機器がユニキャストベアラを使用することによってグループサービスを受信し続けるようにするために、ユニキャストベアラを確立するようにユーザ機器に命令するステップとを含む、サービス継続性を維持する方法を提供する。
【００３０】
第4の態様に関連して、第4の態様の第1の可能な実施の形において、MBSFNの送信の停止に関する通知は、そのスケジューリングが停止されるサービスに関する情報を含み、サービスに関する情報は、MBSFNエリア情報およびMBMS識別子のうちの少なくとも1つを含む。
【００３１】
第4の態様または第4の態様の第1の可能な実施の形に関連して、第4の態様の第2の可能な実施の形において、方法は、ユーザ機器がユニキャストベアラを確立した後に、グループ通信サーバによって、MBSFNの送信を停止するようにマルチセル/マルチキャスト調整エンティティに命令するステップをさらに含む。
【００３２】
第5の態様によれば、本願は、マルチセル/マルチキャスト調整エンティティによって、停止される必要があるMBSFNの送信を決定するステップと、グループ通信サーバが、ユニキャストベアラを確立するようにユーザ機器に命令し、MBSFNの送信が停止された後に、ユーザ機器がMBSFNの代わりにユニキャストベアラを使用することによってグループサービスを受信し続けるようにするために、MBSFNの送信が停止されることをグループ通信サーバに通知するステップとを含む、サービス継続性を維持する方法を提供する。
【００３３】
第5の態様に関連して、第5の態様の第1の可能な実施の形において、マルチセル/マルチキャスト調整エンティティによって、停止される必要があるMBSFNの送信を決定するステップは、マルチセル/マルチキャスト調整エンティティによって、MBMSサービスを受信するユーザ機器に関する統計を実行するように基地局に命令するステップと、基地局の統計応答に従って、MBMSサービスのユーザ機器の量を決定し、MBMSサービスを受信するユーザ機器の量が所定のしきい値未満である時に、MBMSサービスのMBSFN送信の形が停止される必要があると決定するステップとを含む。
【００３４】
第5の態様または第5の態様の第1の可能な実施の形に関連して、第5の態様の第2の可能な実施の形において、MBSFNの送信が停止されることを示す通知は、そのスケジューリングが停止されるサービスに関する情報を含み、サービスに関する情報は、MBSFNエリア情報およびMBMS識別子のうちの少なくとも1つを含む。
【００３５】
第6の態様によれば、本願は、ユーザ機器によって、グループサービスがマルチメディアブロードキャストマルチキャストサービス単一周波数ネットワークMBSFNを使用することによって受信されることを示す情報をグループ通信サーバに報告するステップと、グループ通信サーバのユニキャストベアラ確立通知に従ってユニキャストベアラを確立し、搬送されるグループサービスのスケジューリング情報をリスニングし続けるステップとを含む、サービス継続性を維持する方法を提供する。
【００３６】
第6の態様に関連して、第6の態様の第1の可能な実施の形において、グループサービスに関する情報は、MBSFNエリア情報およびMBMS識別子のうちの少なくとも1つを含む。
【００３７】
第6の態様または第6の態様の第1の可能な実施の形に関連して、第6の態様の第2の可能な実施の形において、ユーザ機器によって、グループサービスがMBSFNを使用することによって受信されることを示す情報をグループ通信サーバに報告するステップの前に、方法は、ユーザ機器によって、グループ通信サーバに登録するステップをさらに含む。
【００３８】
第6の態様と第6の態様の第1および第2の可能な実施の形とのいずれかに関連して、第6の態様の第3の可能な実施の形において、方法は、ユニキャストベアラが完全に確立された後に、ユーザ機器によって、搬送されるグループサービスのスケジューリング情報のリスニングを停止するステップをさらに含む。
【００３９】
第7の態様によれば、受信モジュールとスケジューリングモジュールとを含み、受信モジュールは、マルチメディアブロードキャストマルチキャストサービスMBMSサービスのスケジューリングの停止に関する、マルチセル/マルチキャスト調整エンティティによって送信された第1の通知を受信するように構成され、MBMSサービスのスケジューリングの停止に関する第1の通知は、マルチセル/マルチキャスト調整エンティティがMBMSサービスを一時停止すると決定する時にマルチセル/マルチキャスト調整エンティティによって基地局に送信される通知であり、スケジューリングモジュールは、受信モジュールがMBMSサービスのスケジューリングの停止に関する第1の通知を受信した後に、MBMSサービススケジューリング停止情報をユーザ機器に送信し、所定の条件が満足されるまでMBMSサービスのスケジューリングを継続し、その後、MBMSサービスのスケジューリングを停止するように構成される基地局が提供される。
【００４０】
第7の態様に関連して、第7の態様の第1の可能な実施の形において、MBMSサービスのスケジューリングの停止に関する第1の通知は、MBMSサービスのスケジューリングの停止を遅延させるように基地局に命令するために、停止遅延指示を担持する。
【００４１】
第7の態様の第1の可能な実施の形に関連して、第7の態様の第2の可能な実施の形において、受信モジュールが、MBMSサービスのスケジューリングの停止に関する、マルチセル/マルチキャスト調整エンティティによって送信された第2の通知を受信し、MBMSサービスのスケジューリングの停止に関する第2の通知は、基地局がMBMSサービスのスケジューリングを停止することを示すという条件、または、または、受信モジュールがMBMSサービスのスケジューリングの停止に関する第1の通知を受信した後に、MBMSサービスのスケジューリングの停止に関する第1の通知によって示された時点に達するという条件、または、受信モジュールがMBMSサービスのスケジューリングの停止に関する第1の通知を受信した後に、第1の所定の時間が経過するという条件のうちの1つが満足される時に、スケジューリングモジュールは、MBMSサービスのスケジューリングを停止する。
【００４２】
第7の態様の第1の可能な実施の形に関連して、第7の態様の第3の可能な実施の形において、MBMSサービスのスケジューリングの停止に関する第1の通知は、停止遅延時間長情報または所定の停止タイムスタンプ情報を含む。
【００４３】
第7の態様または第7の態様の第1から第3の可能な実施の形のいずれかに関連して、第7の態様の第4の可能な実施の形において、MBMSサービスのスケジューリングの停止に関する第1の通知は、所定の条件が満足される時にMBMSサービスのスケジューリングが停止されることを示す。
【００４４】
第7の態様および第7の態様の第1から第4の可能な実施の形のいずれかに関連して、第7の態様の第5の可能な実施の形において、スケジューリングモジュールは、MBMSサービスの構成情報を担持していないポイントツーマルチポイント制御チャネルメッセージを使用することによって、ユーザ機器にMBMSサービススケジューリング停止情報を送信する。
【００４５】
第7の態様の第5の可能な実施の形に関連して、第7の態様の第6の可能な実施の形において、スケジューリングモジュールが、サービススケジューリング停止情報についてユーザ機器に通知するのと同時にまたはその後に、スケジューリングモジュールは、MBMSサービスのスケジューリングの停止が遅延されることをユーザに通知するために停止遅延指示を送信する。
【００４６】
第7の態様および第7の態様の第1から第5の可能な実施の形とのいずれかに関連して、第7の態様の第7の可能な実施の形において、MBMSサービススケジューリング停止情報は、MBMSサービスのスケジューリングが停止されることをユーザ機器に通知するために、MBMSサービスが停止されることを示す指示を担持する。
【００４７】
第7の態様の第6または第7の可能な実施の形に関連して、第7の態様の第8の可能な実施の形において、スケジューリングモジュールは、ポイントツーマルチポイント制御チャネル、ページング制御チャネル、およびMBMS送信チャネルスケジューリング情報のうちの任意の1つを使用することによって、停止遅延指示を送信する。
【００４８】
第8の態様によれば、第1の受信モジュールと、リスニングモジュールと、第2の受信モジュールとを含み、第1の受信モジュールは、基地局からMBMSサービススケジューリング停止情報を受信し、MBMSサービスが停止されると決定するように構成され、リスニングモジュールは、第1の受信モジュールが、MBMSサービスのスケジューリング情報をリスニングし続けるように構成され、第2の受信モジュールは、リスニングモジュールによってリスニングされ入手されるMBMSサービスのスケジューリング情報に従ってMBMSサービスを受信するように構成されるユーザ機器が提供される。
【００４９】
第8の態様に関連して、第8の態様の第1の可能な実施の形において、MBMSサービスのスケジューリング情報が、MBMSサービスの構成情報をもはや含まない場合に、第2の受信モジュールは、MBMSサービスの受信を停止する。
【００５０】
第8の態様または第8の態様の第1の可能な実施の形に関連して、第8の態様の第2の可能な実施の形において、第1の受信モジュールは、ポイントツーマルチポイント制御チャネルメッセージを受信し、メッセージがMBMSサービスの構成情報を担持しないことに従って、基地局がMBMSサービスのスケジューリングを停止すると決定するように構成される。
【００５１】
第8の態様に関連して、第8の態様の第3の可能な実施の形において、MBMSサービススケジューリング停止情報は、MBMSサービスのスケジューリングが停止されることを示し、MBMSサービスのスケジューリングが停止されることユーザ機器に示すのに使用される指示を担持し、リスニングモジュールは、MBMSサービス停止通知情報が受信されるまで、MBMSサービスのスケジューリングが停止されることを示す指示に従って、MBMSサービスのスケジューリング情報をリスニングし続け得るように構成される。
【００５２】
第8の態様に関連して、第8の態様の第4の可能な実施の形において、第1の受信モジュールは、サービススケジューリング停止情報を受信するのと同時にまたはその後に、基地局からMBMSサービス停止遅延指示を受信するように構成され、リスニングモジュールは、MBMSサービス停止遅延指示に従って、MBMSサービスのスケジューリング情報をリスニングし続けるように構成される。
【００５３】
第8の態様の第3または第4の可能な実施の形に関連して、第8の態様の第5の可能な実施の形において、第1の受信モジュールは、ポイントツーマルチポイント制御チャネル、ページング制御チャネル、およびMBMS送信チャネルスケジューリング情報のうちの任意の1つを使用することによって、停止遅延指示を受信する。
【００５４】
第8の態様に関連して、第8の態様の第6の可能な実施の形において、ユーザ機器は、ユニキャスト確立モジュールをさらに含み、ユニキャスト確立モジュールは、ユーザ機器が、基地局がMBMSサービスのスケジューリングを停止した後にMBMSサービスを受信し続ける必要がある時に、ユニキャストベアラの確立をトリガするように構成され、ユニキャストベアラが完全に確立された後に、第2の受信モジュールは、MBMSサービスに対応するポイント・ツー・マルチポイント・トラフィック・チャネルを使用することによるMBMSサービスの受信を停止する。
【００５５】
第9の態様によれば、決定モジュールとスケジューリングモジュールとを含み、決定モジュールは、一時停止される必要があるMBMSサービスを決定するように構成され、スケジューリングモジュールは、決定モジュールが一時停止される必要があるMBMSサービスを決定した後に、MBMSサービススケジューリング停止通知を基地局に送信するように構成され、MBMSサービススケジューリング停止通知は、所定の条件が満足される時にMBMSサービスのスケジューリングが停止されることを基地局に通知し、スケジューリングモジュールは、MBMSサービスのスケジューリングを継続するように基地局に命令するマルチセル/マルチキャスト調整エンティティが提供される。
【００５６】
第9の態様に関連して、第9の態様の第1の可能な実施の形において、MBMSサービススケジューリング停止通知は、基地局が所定の時間の間にMBMSサービスのスケジューリングを継続することを示すために、スケジューリングを継続するための所定の時間の時間長情報、所定の停止タイムスタンプ情報、またはMBMSサービスが停止されることを示す指示情報を含む。
【００５７】
第9の態様または第9の態様の第1の可能な実施の形に関連して、第9の態様の第2の可能な実施の形において、決定モジュールは、MBMSサービスを受信するユーザ機器に関する統計を実行するように基地局に命令することによって、基地局の統計応答に従って、MBMSサービスのユーザ機器の量を決定し、MBMSサービスを受信するユーザ機器の量が所定のしきい値未満である時に、MBMSサービスのMBSFN送信の形が一時停止される必要があると決定するように構成される。
【００５８】
第9の態様と第9の態様の第1および第2の可能な実施の形とのいずれかに関連して、第9の態様の第3の可能な実施の形において、スケジューリングモジュールは、MBMSスケジューリング情報を使用することによって、基地局の構成情報を更新し、更新された構成情報は、一時停止される必要があるMBMSサービスの構成情報をもはや担持せず、基地局に送信されるMBMSサービススケジューリング停止通知として使用される。
【００５９】
第10の態様によれば、プロセッサと、受信器と、送信器と、メモリとを含み、プロセッサは、受信器と、送信器と、メモリとに別々に結合され、プロセッサは、マルチメディアブロードキャストマルチキャストサービスMBMSサービスのスケジューリングの停止に関する、マルチセル/マルチキャスト調整エンティティによって送信された第1の通知を受信するために受信器を制御するように構成され、MBMSサービスのスケジューリングの停止に関する第1の通知は、マルチセル/マルチキャスト調整エンティティがMBMSサービスを一時停止すると決定する時にマルチセル/マルチキャスト調整エンティティによって基地局に送信される通知であり、プロセッサは、MBMSサービスのスケジューリングの停止に関する第1の通知が受信された後に、MBMSサービススケジューリング停止情報をユーザ機器に送信するために送信器を制御するようにさらに構成され、プロセッサは、所定の条件が満足されるまでMBMSサービスのスケジューリングを継続し、その後、MBMSサービスのスケジューリングを停止し、メモリは、MBMSデータを記憶するように構成される基地局が提供される。
【００６０】
第11の態様によれば、プロセッサと、受信器と、メモリとを含み、プロセッサは、受信器と、メモリとに別々に結合され、プロセッサは、基地局からMBMSサービススケジューリング停止情報を受信するために受信器を制御し、所定の条件が満足される時に基地局がMBMSサービスのスケジューリングを停止すると決定し、MBMSサービスのスケジューリング情報をリスニングし続け、プロセッサによってリスニングされ入手されたMBMSサービスのスケジューリング情報に従ってMBMSサービスを受信するために受信器を制御するように構成され、メモリは、MBMSサービスデータを記憶するように構成されるユーザ機器が提供される。
【００６１】
第12の態様によれば、プロセッサと、送信器と、メモリとを含み、プロセッサは、送信器と、メモリとに別々に結合され、プロセッサは、一時停止される必要があるMBMSサービスを決定し、MBMSサービススケジューリング停止通知を基地局に送信するために送信器を制御するように構成され、MBMSサービススケジューリング停止通知は、所定の条件が満足される時にMBMSサービスのスケジューリングが停止されることを基地局に通知し、プロセッサは、MBMSサービスのスケジューリングを継続するように基地局に命令し、メモリは、MBMSサービスデータを記憶するように構成されるマルチセル/マルチキャスト調整エンティティが提供される。
【００６２】
第13の態様によれば、第1の受信モジュールと、第2の受信モジュールと、通知モジュールとを含み、第1の受信モジュールは、ユーザ機器によって報告され、グループサービスがマルチメディアブロードキャストマルチキャストサービス単一周波数ネットワークMBSFNを使用することによって受信されることを示す情報を受信するように構成され、第2の受信モジュールは、グループサービスを受信するのに使用されるMBSFNの送信の停止に関する通知をマルチセル/マルチキャスト調整エンティティから受信するように構成され、通知モジュールは、グループサービスを受信するのに使用されるMBSFNが停止された後に、ユーザ機器がユニキャストベアラを使用することによってグループサービスを受信し続けるようにするために、ユニキャストベアラを確立するようにユーザ機器に命令するように構成されるグループ通信サーバが提供される。
【００６３】
第13の態様に関連して、第13の態様の第1の可能な実施の形において、MBSFNの送信の停止に関する通知は、そのスケジューリングが停止されるサービスに関する情報を含み、サービスに関する情報は、MBSFN情報およびMBMS識別子のうちの少なくとも1つを含む。
【００６４】
第13の態様または第13の態様の第1の可能な実施の形に関連して、第13の態様の第2の可能な実施の形において、通知モジュールは、ユーザ機器がユニキャストベアラを確立した後に、MBSFNの送信を停止するようにマルチセル/マルチキャスト調整エンティティに命令するようにさらに構成される。
【００６５】
第14の態様によれば、決定モジュールと通知モジュールとを含み、決定モジュールは、停止される必要があるMBSFNの送信を決定するように構成され、通知モジュールは、決定モジュールが停止される必要があるMBSFNの送信を決定した後に、グループ通信サーバが、ユニキャストベアラを確立するようにユーザ機器に命令し、MBSFNの送信が停止された後に、ユーザ機器がMBSFNの代わりにユニキャストベアラを使用することによってグループサービスを受信し続けるようにするために、MBSFNの送信が停止されることをグループ通信サーバに通知するように構成されるマルチセル/マルチキャスト調整エンティティが提供される。
【００６６】
第14の態様に関連して、第14の態様の第1の可能な実施の形において、決定モジュールは、MBMSサービスのユーザ機器に関する統計を実行するように基地局に命令することによって、基地局の統計応答に従って、MBMSサービスのユーザ機器の量を決定し、MBMSサービスを受信するユーザ機器の量が所定のしきい値未満である時に、MBMSサービスのMBSFN送信の形が停止される必要があると決定する。
【００６７】
第14の態様または第14の態様の第1の可能な実施の形に関連して、第14の態様の第2の可能な実施の形において、MBSFNの送信の停止に関する通知は、そのスケジューリングが停止されるサービスに関する情報を含み、サービスに関する情報は、MBSFN情報およびMBMS識別子のうちの少なくとも1つを含む。
【００６８】
第15の態様によれば、報告モジュールとユニキャストベアラ確立モジュールとを含み、報告モジュールは、グループサービスがマルチメディアブロードキャストマルチキャストサービス単一周波数ネットワークMBSFNを使用することによって受信されることを示す情報をグループ通信サーバに報告するように構成され、ユニキャストベアラ確立モジュールは、グループサービスが、MBSFNの送信が停止された後に受信され続ける必要がある場合に、MBSFNの送信の停止に関する通知に従ってユニキャストベアラを確立し、搬送されるグループサービスのスケジューリング情報をリスニングし続けるように構成されるユーザ機器が提供される。
【００６９】
第15の態様に関連して、第15の態様の第1の可能な実施の形において、グループサービスに関する情報は、MBSFN情報およびMBMS識別子のうちの少なくとも1つを含む。
【００７０】
第15の態様または第15の態様の第1の可能な実施の形に関連して、第15の態様の第2の可能な実施の形において、報告モジュールは、グループ通信サーバに登録するようにさらに構成される。
【００７１】
第15の態様と第15の態様の第1および第2の可能な実施の形とのいずれかに関連して、第15の態様の第3の可能な実施の形において、ユニキャストベアラが完全に確立された後に、ユニキャストベアラ確立モジュールは、搬送されるグループサービスのスケジューリング情報のリスニングを停止する。
【００７２】
第16の態様によれば、プロセッサと、受信器と、メモリとを含み、プロセッサは、受信器と、メモリとに別々に結合され、プロセッサは、ユーザ機器によって報告され、グループサービスがマルチメディアブロードキャストマルチキャストサービス単一周波数ネットワークMBSFNを使用することによって受信されることを示す情報を受信するために受信器を制御し、グループサービスを受信するのに使用されるMBSFNの送信の停止に関する通知をマルチセル/マルチキャスト調整エンティティから受信するために受信器を制御し、グループサービスを受信するのに使用されるMBSFNが停止された後に、ユーザ機器がユニキャストベアラを使用することによってグループサービスを受信し続けるようにするために、ユニキャストベアラを確立するようにユーザ機器に命令するように構成され、メモリは、グループサービスのデータを記憶するように構成されるグループ通信サーバが提供される。
【００７３】
第17の態様によれば、プロセッサと、送信器と、メモリとを含み、プロセッサは、送信器と、メモリとに別々に結合され、プロセッサは、停止される必要があるMBSFNの送信を決定し、グループ通信サーバが、ユニキャストベアラを確立するようにユーザ機器に命令し、MBSFNの送信が停止された後に、ユーザ機器が、MBSFNの代わりにユニキャストベアラを使用することによってグループサービスを受信し続けるようにするために、MBSFNの送信が停止されることをグループ通信サーバに通知するために、グループ通信サーバに通知を送信するために送信器を制御するように構成され、メモリは、データを記憶するように構成されるマルチセル/マルチキャスト調整エンティティが提供される。
【００７４】
第18の態様によれば、プロセッサと、受信器と、メモリとを含み、プロセッサは、受信器と、メモリとに別々に結合され、プロセッサは、グループサービスがマルチメディアブロードキャストマルチキャストサービス単一周波数ネットワークMBSFNを使用することによって受信されることを示す情報をグループ通信サーバに報告し、グループ通信サーバの通知を受信するために受信器を制御し、MBSFNの送信が停止された後にグループサービスが受信され続ける必要がある時に、MBSFNの送信の停止に関するグループ通信サーバの通知に従ってユニキャストベアラを確立し、搬送されるグループサービスのスケジューリング情報をリスニングし続けるように構成され、メモリは、データを記憶するように構成されるユーザ機器が提供される。
【００７５】
従来技術と比較して、本願の有益な効果は次の通りである。前述の技術的解決策によれば、基地局は、MCEによって送信されたMBMSサービススケジューリング停止通知を受信し、基地局は、MBMSサービススケジューリング停止情報についてユーザ機器に通知を送信し、MBMSサービスのスケジューリングを継続する。この形で、MCEは、MBMSサービスのスケジューリングを停止すると決定し、MBMSサービスを受信し続ける必要があるユーザ機器は、ユニキャストベアラを確立するプロセス内でサービスを受信し続けることもでき、これによって、ユーザ機器が、サービスのスケジューリングが停止された後にサービスを受信し続けることを必要とするのでユニキャストベアラを確立するプロセス内でのサービス中断時間を効果的に短縮し、ユーザによりよい使用経験を提供する。
【図面の簡単な説明】
【００７６】
【図１】本発明の実施形態による、サービス継続性を維持する第1の方法を示す流れ図である。
【図２】本発明の実施形態による、サービス継続性を維持する第2の方法を示す流れ図である。
【図３】本発明の実施形態による、サービス継続性を維持する第3の方法を示す流れ図である。
【図４】本発明の実施形態による、サービス継続性を維持する第4の方法を示す流れ図である。
【図５】本発明の実施形態による、サービス継続性を維持する第5の方法を示す流れ図である。
【図６】本発明の実施形態による、サービス継続性を維持する第6の方法を示す流れ図である。
【図７】本発明の実施形態による、第1の基地局を示す概略構造図である。
【図８】本発明の実施形態による、第1のユーザ機器を示す概略構造図である。
【図９】本発明の実施形態による、第1のマルチセル/マルチキャスト調整エンティティを示す概略構造図である。
【図１０】本発明の実施形態による、第2の基地局を示す概略構造図である。
【図１１】本発明の実施形態による、第2のユーザ機器を示す概略構造図である。
【図１２】本発明の実施形態による、第2のマルチセル/マルチキャスト調整エンティティを示す概略構造図である。
【図１３】本発明の実施形態による、第1のグループ通信サーバを示す概略構造図である。
【図１４】本発明の実施形態による、第3のマルチセル/マルチキャスト調整エンティティを示す概略構造図である。
【図１５】本発明の実施形態による、第3のユーザ機器を示す概略構造図である。
【図１６】本発明の実施形態による、第2のグループ通信サーバを示す概略構造図である。
【図１７】本発明の実施形態による、第4のマルチセル/マルチキャスト調整エンティティを示す概略構造図である。
【図１８】本発明の実施形態による、第4のユーザ機器を示す概略構造図である。
【発明を実施するための形態】
【００７７】
図1を参照すると、図1は、本発明の実施形態による、サービス継続性を維持する第1の方法の流れ図である。この実施形態において、説明は、基地局の展望から提供され、この実施形態におけるサービス継続性を維持する方法は、以下を含む。
【００７８】
S101  基地局が、MBMSサービスのスケジューリングの停止に関する、マルチセル/マルチキャスト調整エンティティによって送信された第1の通知を受信する。
【００７９】
マルチセル/マルチキャスト調整エンティティ(MCE、Multicast Coordination Entity)は、MBMSサービスを受信するユーザ機器に関する統計を実行するために基地局(eNB、Evolved Node B)をまずトリガし、eNBの統計応答に従って、MBMSサービスのユーザ機器の量を決定し、MBMSサービスを受信するユーザ機器の量が所定のしきい値未満である時には、MCEは、MBMSサービスのスケジューリングを停止すると決定する。MCEは、MBMSサービスのスケジューリングを停止するようにeNBに命令し、MBMSサービスを受信するユーザ機器の量が所定のしきい値未満である場合に、たとえば、サービス1のスケジューリングを停止する。
【００８０】
eNBは、MCEによって送信された、MBMSサービスのスケジューリングの停止に関する第1の通知を受信する。MBMSサービスのスケジューリングの停止に関する第1の通知は、MCEがMBMSサービスを一時停止すると決定する時にMCEによって基地局に送信される通知であり、MBMSサービスのスケジューリングの停止に関する第1の通知は、所定の条件が満足される時にMBMSサービスのスケジューリングが停止されることを示すのに使用され得る。所定の条件は、特定の時間の後に、固定された時点に、またはMBMSサービスのスケジューリングの停止に関する通知がもう一度受信された時に、スケジューリングが停止されることとすることができる。確かに、所定の条件は、別の指定された条件ともされ得る。
【００８１】
オプションで、MBMSサービスのスケジューリングの停止に関する第1の通知は、MBMSサービスのスケジューリングの停止を遅延するようにeNBに命令するために、停止遅延指示をさらに担持することができる。さらに、MBMSサービスのスケジューリングの停止に関する第1の通知は、指定された時間が遅延された後にMBMSサービスのスケジューリングを停止するようにeNBに命令するのに使用される、停止遅延時間長情報または停止タイムスタンプ情報をさらに含むことができる。
【００８２】
たとえば、MCEが、サービス1のスケジューリングを停止すると決定する場合に、MCEは、サービス1のスケジューリングの停止に関する第1の通知をeNBに送信し、この通知は、サービス1のスケジューリングが停止されることを示すのに使用され得、あるいは、第1の通知は、サービス1のスケジューリングの停止を遅延させるようにeNBに命令するために、停止遅延指示を担持することができ、MBMSサービス停止遅延指示に従って、eNBは、ある時間期間の間にサービスのスケジューリングを継続し、その後、そのサービスのスケジューリングを停止する。スケジューリングの停止に関する受信された第1の通知に対するスケジューリング停止時刻の相対時間、たとえば10分、5分、2つの変更サイクル、もしくは別の時間情報を示すのに使用される、停止遅延時間をさらに指定することができ、あるいは、タイムスタンプ情報、たとえば12:30、12:40、もしくは別の特定のタイムスタンプ情報を指定することができる。
【００８３】
オプションで、MBMSサービスのスケジューリングの停止に関する第1の通知は、MBMSスケジューリング情報を使用することによって搬送され、MBMSスケジューリング情報が、MBMSサービスの構成情報をもはや担持しない時には、これは、MBMSサービスのスケジューリングが停止されることを示す。
【００８４】
S102  基地局が、MBMSサービスのスケジューリングの停止に関する第1の通知に従って、MBMSサービススケジューリング停止情報をユーザ機器に送信する。
【００８５】
eNBが、MBMSサービスのスケジューリングの停止に関するMCEの第1の通知を受信した後に、eNBは、MBMSサービススケジューリング停止情報をユーザ機器に送信する。
【００８６】
eNBは、MBMSサービスの構成情報を担持していないポイントツーマルチポイント制御チャネルメッセージを使用することによって、ユーザ機器にMBMSサービススケジューリング停止情報を送信することができる。
【００８７】
オプションで、MBMSサービススケジューリング停止情報は、MBMSサービスのスケジューリングが停止されることをユーザ機器に通知するために、MBMSサービスのスケジューリングが停止されることを示す指示を担持することができる。所定の条件が満足された時にMBMSサービスのスケジューリングが停止された後に、MBMSサービス停止通知が、MBMSサービスが停止されることをユーザ機器に通知するために、ユーザ機器に送信される。
【００８８】
オプションで、eNBが、サービススケジューリング停止情報についてユーザ機器に通知するのと同時にまたはその後に、eNBは、MBMSのスケジューリングの停止が遅延されることをユーザ機器に通知するために停止遅延指示をさらに送信する。所定の条件が満足された時にMBMSサービスのスケジューリングが停止された後に、MBMSサービスのスケジューリングは、停止される。
【００８９】
MBMSサービス停止遅延指示またはMBMSサービスのスケジューリングが停止されることを示す指示は、ポイントツーマルチポイント制御チャネル、ページング制御チャネル、およびMBMS送信チャネルスケジューリング情報のうちのいずれか1つを使用することによってユーザ機器に送信され得る。具体的には、停止遅延指示またはMBMSサービスのスケジューリングが停止されることを示す指示が、ポイントツーマルチポイント制御チャネルチャネルを使用することによって送信される場合に、停止遅延指示またはMBMSサービスのスケジューリングが停止されることを示す指示は、ポイントツーマルチポイント制御チャネルチャネル上で搬送されるカウント要求メッセージを使用することによって送信され得、たとえば、停止遅延指示またはMBMSサービスのスケジューリングが停止されることを示す指示は、カウント要求に追加される。停止遅延指示が、MBMS送信チャネルスケジューリング情報を使用することによって送信される場合には、停止遅延指示またはMBMSサービスのスケジューリングが停止されることを示す指示は、MBMS送信チャネルスケジューリング情報内のMBMSトラフィックチャネル停止位置指示(MTCH stop)フィールド内で特殊な値を使用することによって表され得る。
【００９０】
S103  基地局が、所定の条件が満足されるまでMBMSサービスのスケジューリングを継続し、その後、MBMSサービスのスケジューリングを停止する。
【００９１】
eNBは、MBMSサービスをスケジューリングし続ける。具体的には、eNBは、MBMS送信チャネルスケジューリング情報(MSI)内で、MBMSの送信位置を示し続け、その結果、MBMSサービスを受信し続ける必要があるユーザ機器は、ユニキャストベアラの確立をトリガするようになり、ユニキャストベアラのプロセス内では、MBMSサービスが中断されないか、中断時間が短縮される。
【００９２】
eNBは、以下の条件のうちの1つが満足される時に、MBMSサービスのスケジューリングを停止することができる。MBMSサービスのスケジューリングの停止に関する、MCEによって送信された第2の通知が受信され、MBMSサービスのスケジューリングの停止に関する第2の通知は、MBMSサービスのスケジューリングが停止されることを示すという条件、または、MBMSサービスのスケジューリングの停止に関する第1の通知が受信された後に、MBMSサービスのスケジューリングの停止に関する第1の通知によって示された時点に達するという条件、または、MBMSサービスのスケジューリングの停止に関する第1の通知が受信された後に、第1の所定の時間が経過するという条件、または、サービスのスケジューリングの停止に関する第1の通知が受信された後に、第2の所定の時点に達するという条件。
【００９３】
前述の3つのケースを、具体的に説明する。第1のケースは、MCEが、サービスのスケジューリングが停止されることを通知するためにMBMSサービスのスケジューリングの停止に関する第1の通知を送信し、その後、所定の時間の後に、MCEが、MBMSサービスのスケジューリングの停止に関する第2の通知を送信することであり、この通知は、eNBがMBMSサービスのスケジューリングを停止することを直接に示す。
【００９４】
もう1つのケースは、MCEが、MBMSサービスのスケジューリングの停止に関する第1の通知に停止遅延指示を直接に追加し、スケジューリング停止時点は、事前に定義された時点であり、たとえば、MBMSサービスのスケジューリングの停止に関する第1の通知が受信された後の次の後の変更サイクルの開始時にスケジューリングを停止すること、あるいは、第1の通知内で担持される停止遅延指示が、特定の遅延時間を示すことができ、eNBが、MBMSサービスのスケジューリングの停止に関するMCEの第1の通知を受信した後にある時間期間が遅延された後にサービスのスケジューリングを停止し、または第1の通知によって示される時点が到着した後にMBMSサービスのスケジューリングをさらに停止することである。
【００９５】
もう1つのケースは、MBMSサービスのスケジューリングの停止に関する、MCEによって送信される第1の通知が、MBMSサービスのスケジューリングが停止されることを通知するためのみのものであり(すなわち、第1の通知は、一般的なMBMSサービススケジューリング停止通知である)、この通知を受信した後に、eNBが、第1の所定の時間の間にMBMSのスケジューリングを自発的に継続することであり、第1の所定の時間は、システムによって事前にセットされた時間とされ得る。
【００９６】
eNBのMBMSサービススケジューリング停止情報を受信した後に、ユーザ機器は、MBMSサービスが停止されると決定するが、ある時間期間の間、MSIをリスニングし続ける。ユーザ機器が、MBMSサービスを受信し続ける必要がある場合には、ユーザ機器は、ユニキャストベアラの確立をトリガすることができ、ユニキャストベアラが確立された後に、MBMSサービスに対応するポイント・ツー・マルチポイント・トラフィック・チャネル(MTCH)の受信を停止する。ユニキャストベアラの確立をトリガするプロセスは、MBMSサービスが受信され続けることができないことを示す指示をユーザ機器のアクセス層によってユーザ機器の上位層に送信するステップと、MBMSサービスが受信され続けることができないことを示す指示をユーザ機器の上位層によってアプリケーションサーバに送信するステップと、ユニキャストベアラ確立トリガ要求をアプリケーションサーバによってユーザ機器に送信するステップと、トリガ要求に従って、ユーザ機器によってユニキャストベアラの確立をトリガするステップとを含む。
【００９７】
サービス継続性を維持する方法の前述の実施形態において、eNBは、MCEによって送信されたMBMSサービススケジューリング停止通知を受信し、eNBは、MBMSサービススケジューリング停止情報をユーザ機器に送信し、MBMSサービスのスケジューリングを継続する。この形で、MCEは、MBMSサービスのスケジューリングを停止すると決定し、MBMSサービスを受信し続ける必要があるユーザ機器は、ユニキャストベアラを確立するプロセス内でサービスを受信し続けることもでき、これによって、ユーザ機器が、サービスのスケジューリングが停止された後にサービスを受信し続けることを必要とするのでユニキャストベアラを確立するプロセス内でのサービス中断時間を効果的に短縮し、ユーザによりよい使用経験を提供する。
【００９８】
図2を参照すると、図2は、本発明の実施形態による、サービス継続性を維持する第2の方法の流れ図である。この実施形態において、説明は、ユーザ機器の展望から提供され、この実施形態におけるサービス継続性を維持する方法は、以下を含む。
【００９９】
S201  ユーザ機器が、基地局からMBMSサービススケジューリング停止情報を受信し、基地局がMBMSサービスのスケジューリングを停止すると決定する。
【０１００】
MBMSサービスのスケジューリングを停止すると決定する時に、MCEは、スケジューリング停止通知をeNBに送信し、eNBは、MBMSサービスのスケジューリングが停止されることをユーザ機器に通知するために、そのスケジューリングが停止されるMBMSサービスの関連情報についてユーザ機器に通知する。
【０１０１】
eNBのMBMSサービススケジューリング停止情報を受信した後に、ユーザ機器は、MBMSサービスのスケジューリングが停止されると決定する。ユーザ機器は、ポイントツーマルチポイント制御チャネルメッセージを受信することによって、そのメッセージがMBMSサービスの構成情報を担持しないことに従って、MBMSサービスのスケジューリングが停止されると決定することができ、あるいは、ポイントツーマルチポイント制御チャネルメッセージは、まだMBMSサービスの構成情報を担持するが、ユーザ機器は、MBMSサービススケジューリング停止情報内で担持され、スケジューリングが停止されることを示す指示に従って、MBMSサービスのスケジューリングが停止されると決定する。
【０１０２】
S202  ユーザ機器が、MBMSサービスのスケジューリング情報をリスニングし続ける。
【０１０３】
MBMSサービススケジューリング停止情報を受信した後に、ユーザ機器は、MBMSサービスのスケジューリング情報をリスニングし続け、MBMSサービスのスケジューリング情報は、具体的にはMBMS送信チャネルスケジューリング情報(MSI)とすることができ、ユーザ機器は、MBMSサービスの、MSI内で示される送信位置に従って、MBMSサービスを受信し続ける。
【０１０４】
オプションで、MBMSサービススケジューリング停止情報は、MBMSサービスのスケジューリングが停止されることを示し、MBMSサービスのスケジューリングが停止されることをユーザ機器に示すのに使用される指示を担持し、ユーザ機器は、MBMSサービス停止通知が受信されるまで、MBMSサービスのスケジューリングが停止されることを示す指示に従ってMBMSサービスのスケジューリング情報をリスニングし続ける。
【０１０５】
オプションで、ユーザ機器が、MBMSサービススケジューリング停止情報を受信するのと同時にまたはその後に、ユーザ機器は、eNBからMBMSサービス停止遅延指示を受信し、MBMSサービス停止遅延指示に従ってMBMSサービスのスケジューリング情報をリスニングし続ける。
【０１０６】
ユーザ機器は、ポイントツーマルチポイント制御チャネル、ページング制御チャネル、およびMBMS送信チャネルスケジューリング情報のうちのいずれか1つを使用することによって、MBMSサービス停止遅延指示またはMBMSサービスのスケジューリングが停止されることを示す指示を受信することができる。具体的には、MBMSサービス停止遅延指示またはMBMSサービスのスケジューリングが停止されることを示す指示が、ポイントツーマルチポイント制御チャネルチャネルを使用することによって受信される場合に、MBMSサービス停止遅延指示またはMBMSサービスのスケジューリングが停止されることを示す指示は、ポイントツーマルチポイント制御チャネルチャネル上で搬送されるカウント要求メッセージを使用することによって受信され得、たとえば、MBMSサービス停止遅延指示またはMBMSサービスのスケジューリングが停止されることを示す指示は、カウント要求内で担持される。MBMSサービス停止遅延指示が、MBMS送信チャネルスケジューリング情報を使用することによって受信される場合には、MBMSサービス停止遅延指示またはMBMSサービスのスケジューリングが停止されることを示す指示は、MBMS送信チャネルスケジューリング情報内のMBMSトラフィックチャネル停止位置指示(MTCH stop)フィールド内で特殊な値を使用することによって受信され得る。
【０１０７】
S203  MBMSサービスのスケジューリング情報に従ってMBMSサービスを受信する。
【０１０８】
ユーザ機器はMBMSサービスのスケジューリング情報に従ってMBMSサービスを受信する。具体的には、MBMSサービスのスケジューリング情報は、MBMS送信チャネルスケジューリング情報(MSI)であり、MBMSサービスのスケジューリング情報に従ってMBMSサービスを受信するステップは、MBMSサービスの、MSI内で示されるスケジューリング位置に従ってMBMSサービスを受信するステップを含む。
【０１０９】
ユーザ機器が、MBMSサービスを受信し続ける必要がある場合には、ユーザ機器は、ユニキャストベアラの確立をトリガし、ユニキャストベアラを確立するプロセス内で、ユーザ機器は、MBMSサービスのスケジューリング情報をリスニングし続ける。ユニキャストベアラが完全に確立された後に、MBMSサービスに対応するポイント・ツー・マルチポイント・トラフィック・チャネルの受信が、停止され、MBMSサービスは、ユニキャストベアラを使用することによって受信され続ける。ユニキャストベアラの確立をトリガするプロセスは、MBMSサービスが受信され続けることができないことを示す指示をユーザ機器のアクセス層によってユーザ機器の上位層に送信するステップと、MBMSサービスが受信され続けることができないことを示す指示をユーザ機器の上位層によってアプリケーションサーバに送信するステップと、ユニキャストベアラ確立トリガ要求をアプリケーションサーバによってユーザ機器に送信するステップと、トリガ要求に従って、ユーザ機器によってユニキャストベアラの確立をトリガするステップとを含む。
【０１１０】
確かに、MBMSサービスのスケジューリング情報が、MBMSサービスの構成情報をもはや含まない場合には、MBMSサービスの受信は、停止され、あるいは、MBMSサービスの受信は、MBMSサービススケジューリング停止情報が受信された後の第1の所定の時間の後に停止される。図3を参照すると、図3は、本発明の実施形態による、サービス継続性を維持する第3の方法の流れ図である。この実施形態において、説明は、MCEの展望から提供され、この実施形態におけるサービス継続性を維持する方法は、以下を含む。
【０１１１】
S301  マルチセル/マルチキャスト調整エンティティが、一時停止される必要があるMBMSサービスを決定する。
【０１１２】
MCEは、MBMSサービスを受信するユーザ機器に関する統計を実行するようにeNBをまずトリガし、eNBの統計応答に従って、MBMSサービスのユーザ機器の量を決定し、MBMSサービスを受信するユーザ機器の量が所定のしきい値未満である時に、MCEは、MBMSサービスのMBSFN送信の形を停止すると決定する。
【０１１３】
代替案では、MCEは、グループ通信サーバによって送信されたMBMSサービス停止通知を受信し、MBMSサービス停止通知に従って、MBMSサービスのMBSFN送信の形を停止すると決定する。
【０１１４】
S302  MBMSサービススケジューリング停止通知を基地局に送信し、MBMSサービススケジューリング停止通知は、所定の条件が満足される時にMBMSサービスのスケジューリングが停止されることを基地局に通知し、MBMSサービスのスケジューリングを継続するように基地局に命令する。
【０１１５】
MCEは、eNBにMBMSサービススケジューリング停止通知を送信し、MBMSサービススケジューリング停止通知は、所定の条件が満足される時にMBMSサービスのスケジューリングが停止されることを基地局に通知し、MBMSサービスのスケジューリングを継続するようにeNBに命令する。所定の条件は、所定の時間または所定の時点とすることができる。確かに、所定の条件は、別の条件とすることもできる。
【０１１６】
MCEは、MBMSスケジューリング情報を使用することによって、eNBの構成情報を更新することができ、更新された構成情報は、一時停止される必要があるMBMSサービスの構成情報をもはや担持せず、eNBに送信されるMBMSサービススケジューリング停止通知として使用される。
【０１１７】
MCEは、MBMSサービスのスケジューリングを停止するようにeNBに命令し、MBMSサービスを受信するユーザ機器の量が所定のしきい値未満である場合に、たとえば、サービス1のスケジューリングを停止する。
【０１１８】
MBMSサービススケジューリング停止通知は、MBMSサービスのスケジューリングの停止を遅延するようにeNBに命令するために、停止遅延指示をさらに担持することができる。さらに、MBMSサービススケジューリング停止通知は、指定された時間が遅延された後にMBMSサービスのスケジューリングを停止するようにeNBに命令するのに使用される、停止遅延時間長情報または停止タイムスタンプ情報をさらに含むことができる。
【０１１９】
たとえば、MCEが、サービス1のスケジューリングを停止すると決定する場合に、MCEは、サービス1のスケジューリングの停止に関する通知をeNBに送信し、この通知は、サービス1のスケジューリングが停止されることを示すのに使用され得る。さらに、この通知は、サービス1のスケジューリングの停止を遅延させるようにeNBに命令するために、停止遅延指示をさらに担持することができ、MBMSサービススケジューリング停止指示に従って、eNBは、ある時間期間の間にサービスのスケジューリングを継続し、その後、そのサービスのスケジューリングを停止する。スケジューリングの停止に関する受信された第1の通知に対するスケジューリング停止時刻の相対時間、たとえば10分、5分、2つの変更サイクル、もしくは別の時間情報を示すのに使用される、停止遅延時間をさらに指定することができ、あるいは、タイムスタンプ情報、たとえば12:30、12:40、もしくは別の特定のタイムスタンプ情報を指定することができる。
【０１２０】
確かに、MCEが、MBMSサービススケジューリング停止通知を送信するのと同時にまたはその後に、MCEは、MBMSサービスのスケジューリングの停止を遅延するようにeNBに命令するために、停止遅延指示を送信することもできる。
【０１２１】
別の形は、MCEが、サービス1のスケジューリングの停止に関する第1の通知をeNBにまず送信し、ここで、第1の通知は、サービス1のスケジューリングが停止されることを示し、その後、サービス1のスケジューリングの停止に関する第2の通知を送信することであり、ここで、第2の通知は、eNBが直ちにサービス1のスケジューリングを停止することを直接に示す。
【０１２２】
オプションで、MBMSサービスのスケジューリングの停止に関する第1の通知は、MBMSスケジューリング情報を使用することによって搬送され、MBMSスケジューリング情報が、もはやMBMSサービスを担持しない時には、これは、MBMSサービスのスケジューリングが停止されることを示す。
【０１２３】
図4を参照すると、図4は、本発明の実施形態による、サービス継続性を維持する第4の方法の流れ図である。この実施形態において、説明は、グループ通信サーバの展望から提供され、この実施形態におけるサービス継続性を維持する方法は、以下を含む。
【０１２４】
S401  グループ通信サーバが、ユーザ機器によって報告され、グループサービスがMBSFNを使用することによって受信されることを示す情報を受信する。
【０１２５】
グループ通信において、MBSFNエリア内で、グループサービスのデータは、MBMSサービス内で担持され、グループ通信サーバは、グループ内のユーザ機器を管理するように構成され、グループサービスのデータを受信する前に、ユーザ機器は、グループ通信サーバに登録することをまず必要とする。
【０１２６】
ユーザ機器が通信のためにMBSFNの形でグループ通信サーバを受信する場合に、ユーザ機器は、ユーザ機器がMBSFNの形でグループサービスを受信しつつあることを示す情報をグループ通信サーバに報告することができ、グループサービスに関する情報は、グループサービスのMBSFNエリア識別子と、グループサービスがその中に配置されているセルの識別子とのうちの少なくとも1つを含む。
【０１２７】
S402  グループ通信サーバが、グループサービスを受信するのに使用されるMBSFNの送信の停止に関する通知をマルチセル/マルチキャスト調整エンティティから受信する。
【０１２８】
MCEが、MBMSサービスのスケジューリングを停止すると決定する場合に、MCEが、MBMSサービスのスケジューリングを停止するようにeNBに命令する前に、MCEは、グループ通信サーバにまず通知する。MCEは、MCEによって停止されるサービスに関する情報、たとえばMBSFNエリア識別子、またはMBMSサーバ識別子をグループ通信サーバに報告することができる。
【０１２９】
グループ通信サーバは、MBSFNの送信が停止されることを示す通知をMCEから受信する。
【０１３０】
S403  グループ通信サーバが、グループサービスを受信するのに使用されるMBSFNが停止された後に、ユーザ機器がユニキャストベアラを使用することによってグループサービスを受信し続けるようにするために、ユニキャストベアラを確立するようにユーザ機器に命令する。
【０１３１】
MBSFNの送信が停止されることを示す通知を受信した後に、グループ通信サーバは、グループサービスを受信するのに使用されるMBSFNが停止された後に、グループサービスがMBSFNの代わりにユニキャストベアラを使用することによって受信され続けるようにするために、ユニキャストベアラを確立するようにユーザ機器に命令する。好ましくは、グループサービスを受信し続ける必要があるユーザ機器だけが、ユニキャストベアラを確立するように命令され得る。
【０１３２】
グループサービスを受信し続ける必要があるユーザ機器は、MBSFNの送信が停止された後にユニキャストベアラ上でグループサービスを受信し続けるために、グループ通信サーバの通知に従ってユニキャストベアラの確立をトリガする。ユーザ機器がユニキャストベアラを確立した後に、グループ通信サーバは、MBSFNの送信を停止するようにMCEに命令する。
【０１３３】
具体的には、ユーザ機器がMBMSサービスを使用することによってグループ通信データを受信する場合に、ユーザ機器のアクセス層は、MBMSサービスが停止されると決定し、ユーザ機器の上位層に指示を送信し、ユーザ機器の上位層は、MBMSサービスに対応するグループサービスがMBSFNの形で受信され続けることができないことをグループ通信サーバに報告し、グループ通信サーバが要求を受信した後に、グループ通信サーバが、グループサービスがユーザ機器に送信され続ける必要があると決定する場合には、グループ通信サーバは、グループサービスを受信し続けるためにユニキャストベアラを確立するためにユーザ機器をトリガする。ユニキャストベアラは、ユーザ機器と基地局との間の、MBMSサービスを送信するのに使用される専用の無線ベアラである。
【０１３４】
MBMSサービスに対応するグループサービスがMBSFNの形で受信され続けることができないことをグループ通信サーバに報告する前に、ユーザ機器の上位層は、eNBへの接続を確立する必要がある。多数のユーザ機器が接続確立プロセスを同時に開始する時に引き起こされるネットワーク輻輳を避けるために、eNBのMBMSサービススケジューリング停止情報を受信した後に、ユーザ機器は、多数のユーザ機器がユニキャスト接続確立プロセスを同時にトリガすることを防ぐために、ランダムバックオフを実行することができる。具体的には、ユーザ機器は、所定のしきい値との比較のためにランダム係数を生成し、比較結果に従って、ユニキャスト確立プロセスのトリガの遅延を決定する。たとえば、所定のランダム係数は、0.5であり、ユーザによって生成される乱数は、0.6であり、0.6>0.5であり、したがって、ユーザは、10msの遅延の後に接続確立をトリガする。
【０１３５】
この実施形態の詳細な説明を介して、この実施形態におけるサービス継続性を維持する方法によれば、MCEが、停止される必要があるMBSFNの送信を停止すると決定する時に、MCEがeNBに通知する前に、MCEは、グループ内のユーザ機器を管理するグループ通信サーバにまず通知し、グループ通信サーバは、ユニキャストベアラを確立するようにユーザ機器に命令し、ユーザ機器がユニキャストベアラを確立した後に、MBSFNの送信を停止するようにMCEに命令することが、理解され得る。このようにして、MCEが、MBSFNの送信を停止すると決定する時に、MBSFNを使用することによってグループサービスを受信し続ける必要があるユーザ機器は、グループ通信サーバの通知に従ってユニキャストベアラをまず確立し、これによって、グループサービスが中断されるのを防ぎ、よりよい使用経験をユーザに提供する。
【０１３６】
図5を参照すると、図5は、本発明の実施形態による、サービス継続性を維持する第5の方法の流れ図である。この実施形態において、説明は、MCEの展望から提供され、この実施形態におけるサービス継続性を維持する方法は、以下を含む。
【０１３７】
S501  マルチセル/マルチキャスト調整エンティティが、停止される必要があるMBSFNの送信を決定する。
【０１３８】
MCEは、MBMSサービスを受信するユーザ機器に関する統計を実行するためにeNBをまずトリガし、eNBの統計応答に従って、MBMSサービスのユーザ機器の量を決定し、MBMSサービスを受信するユーザ機器の量が所定のしきい値未満である時に、MBMSサービスのMBSFN送信の形が停止される必要があると決定する。
【０１３９】
S502  MBSFNの送信が停止されることをグループ通信サーバに通知する。
【０１４０】
MCEが、MBMSサービスのMBSFNの送信を停止すると決定する時に、MCEがMBMSサービスのスケジューリングを停止するようにeNBに命令する前に、MCEは、グループ通信サーバにまず通知する。MCEは、MCEによって停止されるサービスに関する情報、たとえばMBSFNエリア識別子またはMBMSサーバ識別子をグループ通信サーバに報告することができる。したがって、グループ通信サーバは、MBSFNの送信が停止された後にユーザ機器がMBSFNの代わりにユニキャストベアラを使用することによってグループサービスを受信し続けるようにするために、ユニキャストベアラを確立するようにユーザ機器に命令する。
【０１４１】
グループ通信サーバが、MBSFNの送信が停止されることを通知された後に、所定の時間期間の後に、eNBがMBMSサービスのスケジューリングを停止するようにするために、MBMSサービススケジューリング停止情報が、eNBに送信される。
【０１４２】
グループ通信サーバは、グループ通信サーバのグループ内のユーザ機器を管理するように構成され、MBSFNの送信が停止されることを示す通知を受信した後に、グループサービスを受信するMBSFNの送信が停止された後にグループサービスがユニキャストベアラを使用することによって受信され続けることもできるようにするために、グループ通信サーバは、ユニキャストベアラを確立するようにユーザ機器に命令することができる。
【０１４３】
図6を参照すると、図6は、本発明の実施形態による、サービス継続性を維持する第6の方法の流れ図である。この実施形態において、説明は、ユーザ機器の展望から提供され、この実施形態におけるサービス継続性を維持する方法は、以下を含む。
【０１４４】
S601  ユーザ機器が、グループサービスがMBSFNを使用することによって受信されることを示す情報をグループ通信サーバに報告する。
【０１４５】
グループ通信において、MBSFNエリア内で、グループサービスのデータは、MBMSサービス内で担持され、グループ通信サーバは、グループ内のユーザ機器を管理するように構成され、グループサービスのデータを受信する前に、ユーザ機器は、グループ通信サーバに登録することをまず必要とする。
【０１４６】
ユーザ機器がMBSFNの形でグループサービスを受信する場合に、ユーザ機器は、ユーザ機器がMBSFNの形でグループサービスを受信しつつあることを示す情報をグループ通信サーバに報告することができ、グループサービスに関する情報は、グループサービスのMBSFNエリア識別子と、グループサービスがその中に配置されているセルの識別子とのうちの少なくとも1つを含む。
【０１４７】
S602  グループ通信サーバのユニキャストベアラ確立通知に従ってユニキャストベアラを確立し、搬送されるグループサービスのスケジューリング情報をリスニングし続ける。
【０１４８】
MCEが、MBMSサービスのスケジューリングを停止すると決定する場合に、MCEが、MBMSサービスのスケジューリングを停止するようにeNBに命令する前に、MCEは、グループ通信サーバにまず通知する。MCEは、MCEによって停止されるサービスに関する情報、たとえばMBSFNエリア識別子、またはMBMSサーバ識別子をグループ通信サーバに報告することができる。
【０１４９】
グループ通信サーバは、MBSFNの送信が停止されることを示す通知をMCEから受信する。
【０１５０】
MBSFNの送信が停止されることを示す通知を受信した後に、グループ通信サーバは、ユニキャストベアラを使用することによってグループサービスを受信し続けるために、ユニキャストベアラを確立するようにユーザ機器に命令する。好ましくは、グループサービスを受信し続ける必要があるユーザ機器だけが、ユニキャストベアラを確立するように命令され得る。
【０１５１】
グループサービスを受信し続ける必要があるユーザ機器は、MBSFNの送信が停止された後にユニキャストベアラ上でグループサービスを受信し続けるために、グループ通信サーバの通知に従ってユニキャストベアラの確立をトリガする。ユーザ機器がユニキャストベアラを確立した後に、グループ通信サーバは、MBSFNの送信を停止するようにMCEに命令する。
【０１５２】
ユニキャストベアラを確立するプロセスにおいて、ユーザ機器は、搬送されるグループサービスのスケジューリング情報をリスニングし続け、ユニキャストベアラが完全に確立された後に、ユーザ機器は、搬送されるグループサービスのスケジューリング情報のリスニングを停止し、ユニキャストベアラを使用することによって、グループサービスを受信し続ける。
【０１５３】
図7を参照すると、図7は、本発明の実施形態による、第1の基地局の概略構造図である。この実施形態における基地局100は、受信モジュール11とスケジューリングモジュール12とを含む。
【０１５４】
受信モジュール11は、MBMSサービスのスケジューリングの停止に関する、MCEによって送信された第1の通知を受信するように構成される。
【０１５５】
MCEは、MBMSサービスを受信するユーザ機器に関する統計を実行するためにeNBをまずトリガし、eNBの統計応答に従って、MBMSサービスのユーザ機器の量を決定し、MBMSサービスを受信するユーザ機器の量が所定のしきい値未満である時に、MCEは、MBMSサービスのスケジューリングを停止すると決定する。MCEは、MBMSサービスのスケジューリングを停止するようにeNBに命令し、MBMSサービスを受信するユーザ機器の量が所定のしきい値未満である場合に、たとえば、サービス1のスケジューリングを停止する。
【０１５６】
eNBは、受信モジュール11を使用することによって、MBMSサービスのスケジューリングの停止に関する、MCEによって送信された第1の通知を受信する。MBMSサービスのスケジューリングの停止に関する第1の通知は、MCEがMBMSサービスを一時停止すると決定する時にMCEによって基地局に送信される通知であり、MBMSサービスのスケジューリングの停止に関する第1の通知は、所定の条件が満足される時にMBMSサービスのスケジューリングが停止されることを示すのに使用され得る。所定の条件は、特定の時間の後、固定された時点、または類似物とすることができる。確かに、所定の条件は、別の指定された条件ともされ得る。
【０１５７】
オプションで、MBMSサービスのスケジューリングの停止に関する第1の通知は、MBMSサービスのスケジューリングの停止を遅延させるようにeNBに命令するために、停止遅延指示をさらに担持することができる。さらに、MBMSサービスのスケジューリングの停止に関する第1の通知は、指定された時間が遅延された後にMBMSサービスのスケジューリングを停止するようにeNBに命令するのに使用される、停止遅延時間長情報または停止タイムスタンプ情報をさらに含むことができる。
【０１５８】
たとえば、MCEが、サービス1のスケジューリングを停止すると決定する場合に、MCEは、サービス1のスケジューリングの停止に関する第1の通知をeNBに送信し、この通知は、サービス1のスケジューリングが停止されることを示すのに使用され得、あるいは、第1の通知は、サービス1のスケジューリングの停止を遅延させるようにeNBに命令するために、停止遅延指示を担持することができ、MBMSサービス停止遅延指示に従って、eNBは、ある時間期間の間にサービスのスケジューリングを継続し、その後、そのサービスのスケジューリングを停止する。スケジューリングの停止に関する受信された第1の通知に対するスケジューリング停止時刻の相対時間、たとえば10分、5分、2つの変更サイクル、もしくは別の時間情報を示すのに使用される、停止遅延時間をさらに指定することができ、あるいは、タイムスタンプ情報、たとえば12:30、12:40、もしくは別の特定のタイムスタンプ情報を指定することができる。
【０１５９】
オプションで、MBMSサービスのスケジューリングの停止に関する第1の通知は、MBMSスケジューリング情報を使用することによって搬送され、MBMSスケジューリング情報が、MBMSサービスの構成情報をもはや担持しない時には、これは、MBMSサービスのスケジューリングが停止されることを示す。
【０１６０】
スケジューリングモジュール12は、受信モジュール11がMBMSサービスのスケジューリングの停止に関する第1の通知を受信した後に、MBMSサービススケジューリング停止情報をユーザ機器に送信し、所定の条件が満足されるまでMBMSサービスのスケジューリングを継続し、その後、MBMSサービスのスケジューリングを停止するように構成される。
【０１６１】
eNBが、MBMSサービスのスケジューリングの停止に関するMCEの第1の通知を受信した後に、eNBは、スケジューリングモジュール12を使用することによって、MBMSサービススケジューリング停止情報をユーザ機器に送信する。
【０１６２】
スケジューリングモジュール12は、MBMSサービスの構成情報を担持していないポイントツーマルチポイント制御チャネルメッセージを使用することによって、ユーザ機器にMBMSサービススケジューリング停止情報を送信することができる。
【０１６３】
オプションで、MBMSサービススケジューリング停止情報は、MBMSサービスのスケジューリングの停止が遅延されることをユーザ機器に通知するために、停止遅延指示を担持することができる。
【０１６４】
オプションで、スケジューリングモジュール12が、サービススケジューリング停止情報についてユーザ機器に通知するのと同時にまたはその後に、スケジューリングモジュール12は、MBMSのスケジューリングの停止が遅延されることをユーザに通知するために停止遅延指示をさらに送信する。
【０１６５】
オプションで、MBMSサービススケジューリング停止情報は、MBMSサービスのスケジューリングが停止されることをユーザ機器に通知するために、MBMSサービスのスケジューリングが停止されることを示す指示を担持することができる。
【０１６６】
MBMSサービス停止遅延指示またはMBMSサービスのスケジューリングが停止されることを示す指示は、ポイントツーマルチポイント制御チャネル、ページング制御チャネル、およびMBMS送信チャネルスケジューリング情報のうちのいずれか1つを使用することによってユーザ機器に送信され得る。具体的には、MBMSサービス停止遅延指示が、ポイントツーマルチポイント制御チャネルチャネルを使用することによって送信される場合に、MBMSサービス停止遅延指示は、ポイントツーマルチポイント制御チャネルチャネル上で搬送されるカウント要求メッセージを使用することによって送信され得、たとえば、MBMSサービス停止遅延指示は、カウント要求に追加される。MBMSサービス停止遅延指示が、MBMS送信チャネルスケジューリング情報を使用することによって送信される場合には、MBMSサービス停止遅延指示は、MBMS送信チャネルスケジューリング情報内のMBMSトラフィックチャネル停止位置指示(MTCH stop)フィールド内で特殊な値を使用することによって表され得る。
【０１６７】
eNBは、MBMSサービスを受信し続ける必要があるユーザ機器が、ユニキャストベアラの確立をトリガするようにするために、スケジューリングモジュール12を使用することによってMBMSサービスをスケジューリングし続け、ユニキャストベアラのプロセス内では、MBMSサービスが中断されないか、中断時間が短縮される。
【０１６８】
スケジューリングモジュール12は、前述の条件すなわち、受信モジュール11が、MBMSサービスのスケジューリングの停止に関する、MCEによって送信された第2の通知を受信し、MBMSサービスのスケジューリングの停止に関する第2の通知は、MBMSサービスのスケジューリングが停止されることを示すという条件、または、受信モジュール11が、MBMSサービスのスケジューリングの停止に関する第1の通知を受信した後に、MBMSサービスのスケジューリングの停止に関する第1の通知によって示された時点に達するという条件、または、受信モジュール11が、MBMSサービスのスケジューリングの停止に関する第1の通知を受信した後に、第1の所定の時間が経過するという条件、または、サービスのスケジューリングの停止に関する第1の通知が受信された後に、第2の所定の時点に達するという条件のうちの1つが満足される時に、MBMSサービスのスケジューリングを停止する。
【０１６９】
すなわち、MCEは、サービスのスケジューリングが停止されることを通知するためにMBMSサービスのスケジューリングの停止に関する第1の通知を送信することができ、その後、所定の時間の後に、MCEは、MBMSサービスのスケジューリングの停止に関する第2の通知を送信し、この通知は、eNBがMBMSサービスのスケジューリングを停止することを直接に示す。
【０１７０】
MCEは、MBMSサービスのスケジューリングの停止に関する第1の通知に停止遅延指示を直接に追加することもでき、スケジューリング停止時点は、事前に定義された時点であり、たとえば、MBMSサービスのスケジューリングの停止に関する第1の通知が受信された後の次の後の変更サイクルの開始時にスケジューリングを停止し、あるいは、第1の通知内で担持される停止遅延指示が、特定の遅延時間を示すことができ、eNBが、MBMSサービスのスケジューリングの停止に関するMCEの第1の通知を受信した後にある時間期間が遅延された後にサービスのスケジューリングを停止し、または第1の通知によって示される時点が到着した後にMBMSサービスのスケジューリングをさらに停止する。
【０１７１】
さらに、MBMSサービスのスケジューリングの停止に関する、MCEによって送信され得る第1の通知は、MBMSサービスのスケジューリングが停止されることを通知するためのみのものであり(すなわち、第1の通知は、一般的なMBMSサービススケジューリング停止通知である)、この通知を受信した後に、eNBは、第1の所定の時間の間にMBMSのスケジューリングを自発的に継続し、第1の所定の時間は、システムによって事前にセットされた時間であり得る。
【０１７２】
eNBのMBMSサービススケジューリング停止情報を受信した後に、ユーザ機器は、MBMSサービスが停止されると決定するが、ある時間期間の間、MSIをリスニングし続ける。ユーザ機器が、MBMSサービスを受信し続ける必要がある場合には、ユーザ機器は、ユニキャストベアラの確立をトリガすることができ、ユニキャストベアラが確立された後に、MBMSサービスに対応するポイント・ツー・マルチポイント・トラフィック・チャネル(MTCH)の受信を停止する。
【０１７３】
この実施形態によって提供される基地局は、図1に示された実施形態内のステップを実施することができ、この実施形態における基地局の機能モジュールの分割は、例示的であるのみであり、本発明の目的が達成され得るという前提の下で、基地局の機能モジュールの分割は、前述の形に限定されず、別の可能な実施の形とすることができる。たとえば、複数のユニットまたはコンポーネントを、組み合わせるか別のシステムに一体化することができ、あるいは、特徴を無視するか実行されないものとすることができる。
【０１７４】
図8を参照すると、図8は、本発明の実施形態による、第1のユーザ機器の概略構造図である。この実施形態におけるユーザ機器110は、第1の受信モジュール21、リスニングモジュール22、および第2の受信モジュール23を含む。
【０１７５】
第1の受信モジュール21は、基地局からMBMSサービススケジューリング停止情報を受信し、基地局がMBMSサービスのスケジューリングを停止すると決定するように構成される。
【０１７６】
MBMSサービスのスケジューリングを停止すると決定する時に、MCEは、スケジューリング停止通知をeNBに送信し、eNBは、MBMSサービスのスケジューリングが停止されることをユーザ機器に通知するために、そのスケジューリングが停止されるMBMSサービスの関連情報についてユーザ機器に通知する。すなわち、基地局は、所定の条件が満足される時にMBMSサービスのスケジューリングを停止する。所定の条件は、所定の時間、所定の時点とすることができ、あるいは、スケジューリング停止通知がもう一度受信される。確かに、所定の条件は、別の条件とすることもできる。
【０１７７】
第1の受信モジュール21を使用することによってeNBのMBMSサービススケジューリング停止情報を受信した後に、ユーザ機器は、MBMSサービスのスケジューリングが停止されると決定する。第1の受信モジュール21は、ポイントツーマルチポイント制御チャネルメッセージを受信することによって、そのメッセージがMBMSサービスの構成情報を担持しないことに従って、MBMSサービスのスケジューリングが停止されると決定することができ、あるいは、ポイントツーマルチポイント制御チャネルメッセージは、まだMBMSサービスの構成情報を担持するが、第1の受信モジュール21は、MBMSサービススケジューリング停止情報内で担持され、スケジューリングが停止されることを示す指示に従って、MBMSサービスのスケジューリングが停止されると決定する。
【０１７８】
リスニングモジュール22は、第1の受信モジュール21が、所定の条件が満足される時にMBMSサービスのスケジューリングが停止されると決定した後に、MBMSサービスのスケジューリング情報をリスニングし続けるように構成される。
【０１７９】
第1の受信モジュール21がMBMSサービススケジューリング停止情報を受信した後に、リスニングモジュール22は、MBMSサービスのスケジューリング情報をリスニングし続け、MBMSサービスのスケジューリング情報は、具体的にはMBMS送信チャネルスケジューリング情報(MSI)とすることができ、ユーザ機器は、MBMSサービスの、MSI内で示される送信位置に従って、MBMSサービスを受信し続ける。
【０１８０】
オプションで、MBMSサービススケジューリング停止情報は、MBMSサービスのスケジューリングの停止が遅延されることをユーザ機器に示すのに使用される停止遅延指示を担持し、リスニングモジュール22は、停止遅延指示に従ってMBMSサービスのスケジューリング情報をリスニングし続ける。
【０１８１】
オプションで、MBMSサービススケジューリング停止情報は、MBMSサービスのスケジューリングが停止されることを示す指示を担持し、MBMSサービスのスケジューリングが停止されることをユーザ機器に示すのに使用され、リスニングモジュールは、MBMSサービスのスケジューリングが停止されることを示す指示に従って、基地局がMBMSサービスのスケジューリングを停止すると決定するように構成される。
【０１８２】
オプションで、第1の受信モジュール21が、MBMSサービススケジューリング停止情報を受信するのと同時にまたはその後に、第1の受信モジュール21は、eNBからMBMSサービス停止遅延指示を受信し、リスニングモジュール22は、MBMSサービス停止遅延指示に従って、MBMSサービスのスケジューリング情報をリスニングし続ける。
【０１８３】
第1の受信モジュール21は、ポイントツーマルチポイント制御チャネル、ページング制御チャネル、およびMBMS送信チャネルスケジューリング情報のうちの任意の1つを使用することによって、MBMSサービス停止遅延指示またはMBMSサービスのスケジューリングが停止されることを示す指示を受信することができる。具体的には、MBMSサービス停止遅延指示が、ポイントツーマルチポイント制御チャネルチャネルを使用することによって受信される場合に、MBMSサービス停止遅延指示は、ポイントツーマルチポイント制御チャネルチャネル上で搬送されるカウント要求メッセージを使用することによって受信され得、たとえば、MBMSサービス停止遅延指示は、カウント要求内で担持される。MBMSサービス停止遅延指示が、MBMS送信チャネルスケジューリング情報を使用することによって受信される場合には、MBMSサービス停止遅延指示は、MBMS送信チャネルスケジューリング情報内のMBMSトラフィックチャネル停止位置指示(MTCH stop)フィールド内で特殊な値を使用することによって受信され得る。
【０１８４】
第2の受信モジュール23は、リスニングモジュール22によってリスニングされ入手されるMBMSサービスのスケジューリング情報に従ってMBMSサービスを受信するように構成される。
【０１８５】
第2の受信モジュール23は、リスニングモジュール22によってリスニングされ入手されるMBMSサービスのスケジューリング情報に従ってMBMSサービスを受信する。具体的には、MBMSサービスのスケジューリング情報は、MBMS送信チャネルスケジューリング情報(MSI)であり、MBMSサービスのスケジューリング情報に従ってMBMSサービスを受信するステップは、MBMSサービスの、MSI内で示されるスケジューリング位置に従ってMBMSサービスを受信するステップを含む。
【０１８６】
ユーザ機器が、MBMSサービスを受信し続ける必要がある場合には、ユーザ機器は、ユニキャストベアラの確立をトリガし、ユニキャストベアラを確立するプロセス内で、リスニングモジュール22は、MBMSサービスのスケジューリング情報をリスニングし続ける。ユニキャストベアラが完全に確立された後に、第2の受信モジュール23は、MBMSサービスに対応するポイント・ツー・マルチポイント・トラフィック・チャネルの受信を停止し、ユニキャストベアラを使用することによって、MBMSサービスを受信し続ける。
【０１８７】
確かに、MBMBサービスのスケジューリング情報が、MBMSサービスの構成情報をもはや含まない場合には、第2の受信モジュール23は、MBMSサービスの受信を停止する。
【０１８８】
ユーザ機器は、ユニキャスト確立モジュールをさらに含み、ユニキャスト確立モジュールは、ユーザ機器が、基地局がMBMSサービスのスケジューリングを停止すると決定した後に、ユニキャストベアラの確立をトリガするように構成される。
【０１８９】
ユニキャストベアラが完全に確立された後に、第2の受信モジュールは、MBMSサービスに対応するポイント・ツー・マルチポイント・トラフィック・チャネルを使用することによるMBMSサービスの受信を停止する。
【０１９０】
この実施形態におけるユーザ機器は、図2に示された実施形態内のステップを実施することができ、この実施形態におけるユーザ機器の機能モジュールの分割は、例示的であるのみであり、本発明の目的が達成され得るという前提の下で、ユーザ機器の機能モジュールの分割は、前述の形に限定されず、別の可能な実施の形とすることができる。たとえば、複数のユニットまたはコンポーネントを、組み合わせるか別のシステムに一体化することができ、あるいは、特徴を無視するか実行されないものとすることができる。
【０１９１】
図9を参照すると、図9は、本発明の実施形態による、第1のマルチセル/マルチキャスト調整エンティティの概略構造図である。この実施形態におけるマルチセル/マルチキャスト調整エンティティ120は、決定モジュール31とスケジューリングモジュール32とを含む。
【０１９２】
決定モジュール31は、一時停止される必要があるMBMSサービスを決定するように構成される。
【０１９３】
MCEは、MBMSサービスを受信するユーザ機器に関する統計を実行するためにeNBをまずトリガし、eNBの統計応答に従って、MBMSサービスのユーザ機器の量を決定し、MBMSサービスを受信するユーザ機器の量が所定のしきい値未満である時には、MCEは、決定モジュール31を使用することによって、MBMSサービスのMBSFN送信の形を停止すると決定する。
【０１９４】
スケジューリングモジュール32は、決定モジュール31がMBMSサービスが一時停止される必要があると決定した時に、MBMSサービススケジューリング停止通知を基地局に送信するように構成され、MBMSサービススケジューリング停止通知は、所定の条件が満足される時にMBMSサービスのスケジューリングが停止されることを基地局に通知し、MBMSサービスのスケジューリングを継続するように基地局に命令する。
【０１９５】
決定モジュール31が、MBMSサービスが一時停止される必要があると決定した時に、MCEは、スケジューリングモジュール32を使用することによって、MBMSサービススケジューリング停止通知をeNBに送信し、MBMSサービススケジューリング停止通知は、所定の条件が満足される時にMBMSサービスのスケジューリングが停止されることを基地局に通知し、MBMSサービスのスケジューリングを継続するようにeNBに命令する。
【０１９６】
スケジューリングモジュール32は、MBMSスケジューリング情報を使用することによって、eNBの構成情報を更新することができ、更新された構成情報は、一時停止される必要があるMBMSサービスの構成情報をもはや担持せず、eNBに送信されるMBMSサービススケジューリング停止通知として使用される。
【０１９７】
スケジューリングモジュール32は、MBMSサービスのスケジューリングを停止するようにeNBに命令し、MBMSサービスを受信するユーザ機器の量が所定のしきい値未満である場合に、たとえば、サービス1のスケジューリングを停止する。
【０１９８】
MBMSサービススケジューリング停止通知は、MBMSサービスのスケジューリングの停止を遅延するようにeNBに命令するために、停止遅延指示をさらに担持することができる。さらに、MBMSサービススケジューリング停止通知は、指定された時間が遅延された後にMBMSサービスのスケジューリングを停止するようにeNBに命令するのに使用される、停止遅延時間長情報または停止タイムスタンプ情報をさらに含むことができる。
【０１９９】
たとえば、MCEが、サービス1のスケジューリングを停止すると決定する場合に、MCEは、スケジューリングモジュール32を使用することによって、サービス1のスケジューリングの停止に関する通知をeNBに送信し、この通知は、サービス1のスケジューリングが停止されることを示すのに使用され得る。さらに、この通知は、1のスケジューリングの停止を遅延させるようにeNBに命令するために、停止遅延指示をさらに担持することができ、MBMSサービス停止遅延指示に従って、eNBは、ある時間期間の間にサービス1のスケジューリングを継続し、その後、そのサービスのスケジューリングを停止する。スケジューリングの停止に関する受信された第1の通知に対するスケジューリング停止時刻の相対時間、たとえば10分、5分、2つの変更サイクル、もしくは別の時間情報を示すのに使用される、停止遅延時間をさらに指定することができ、あるいは、タイムスタンプ情報、たとえば12:30、12:40、もしくは別の特定のタイムスタンプ情報を指定することができる。
【０２００】
確かに、スケジューリングモジュール32が、MBMSサービススケジューリング停止通知を送信するのと同時にまたはその後に、スケジューリングモジュール32は、MBMSサービスのスケジューリングの停止を遅延するようにeNBに命令するために、停止遅延指示を送信することもできる。
【０２０１】
別の形は、MCEが、スケジューリングモジュール32を使用することによって、サービス1のスケジューリングの停止に関する第1の通知をeNBにまず送信し、ここで、第1の通知は、サービス1のスケジューリングが停止されることを示し、その後、サービス1のスケジューリングの停止に関する第2の通知を送信することであり、ここで、第2の通知は、eNBが直ちにサービス1のスケジューリングを停止することを直接に示す。
【０２０２】
オプションで、MBMSサービスのスケジューリングの停止に関する第1の通知は、MBMSスケジューリング情報を使用することによって搬送され、MBMSスケジューリング情報が、もはやMBMSサービスを担持しない時には、これは、MBMSサービスのスケジューリングが停止されることを示す。
【０２０３】
この実施形態におけるマルチセル/マルチキャスト調整エンティティは、図3に示された実施形態内のステップを実施することができ、この実施形態におけるマルチセル/マルチキャスト調整エンティティの機能モジュールの分割は、例示的であるのみであり、本発明の目的が達成され得るという前提の下で、マルチセル/マルチキャスト調整エンティティの機能モジュールの分割は、前述の形に限定されず、別の可能な実施の形とすることができる。たとえば、複数のユニットまたはコンポーネントを、組み合わせるか別のシステムに一体化することができ、あるいは、特徴を無視するか実行されないものとすることができる。
【０２０４】
図10を参照すると、図10は、本発明の実施形態による、第2の基地局の概略構造図である。この実施形態における基地局130は、プロセッサ41と、メモリ42と、受信器43と、送信器44と、バスシステム45とを含む。
【０２０５】
プロセッサ41は、基地局130の動作を制御し、プロセッサ41は、CPU (Central Processing Unit、中央処理装置)とさらに呼ばれる場合がある。プロセッサ41は、集積回路チップとすることができ、信号処理能力を有する。プロセッサ41は、汎用プロセッサ、デジタル信号プロセッサ(DSP、Digital Signal Processing)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【０２０６】
メモリ42は、読取専用メモリおよびランダムアクセスメモリを含むことができ、命令およびデータをプロセッサ41に供給する。メモリ42の一部は、不揮発性ランダムアクセスメモリ(NVRAM)をさらに含むことができる。
【０２０７】
基地局130のコンポーネントは、バスシステム45を使用することによって一緒に結合され、データバスを含むことに加えて、バスシステム45は、電力バス、制御バス、および状態信号バスをさらに含む。バスシステムは、ISA (Industry Standard Architecture、インダストリアルスタンダードアーキテクチャ)バス、PCI (Peripheral Component Interconnect、ペリフェラルコンポーネントインターコネクト)バス、EISA (Extended Industry Standard Architecture、エクステンデッドインダストリアルスタンダードアーキテクチャ)バス、または類似物とすることができる。バスは、1つまたは複数の物理信号線とすることができ、バスが複数の物理信号線である時に、バスは、アドレスバス、データバス、制御バス、および類似物に分類され得る。本発明のいくつかの他の実施形態において、プロセッサ41、メモリ42、受信器43、および送信器44は、通信線を使用することによって直接に接続されることも可能である。しかし、明瞭な説明のために、様々なバスは、この図内ではバスシステム45としてマークされている。
【０２０８】
メモリ42は、モジュールまたはデータ構造を実行することができる以下の要素、要素のサブセット、または要素の拡張されたセットを記憶する。
様々な動作を実施するのに使用される、様々な動作命令を含む動作命令と、
様々な基本的なサービスを実施し、ハードウェアベースのタスクを処理するように構成される、様々なシステムプログラムを含むオペレーティングシステム。
【０２０９】
本発明のこの実施形態において、プロセッサ41は、メモリ42内に記憶された動作命令(動作命令は、オペレーティングシステム内に記憶され得る)を呼び出すことによって、以下の動作を実行する。
プロセッサ41は、MBMSサービスのスケジューリングの停止に関する、MCEによって送信された第1の通知を受信するために受信器43を制御するように構成され、MBMSサービスのスケジューリングの停止に関する第1の通知は、MCEがMBMSサービスを一時停止すると決定した後にMCEによって基地局に送信される通知であり、プロセッサ41は、MBMSサービスのスケジューリングの停止に関する第1の通知が受信された後に、MBMSサービススケジューリング停止情報をユーザ機器に送信するために送信器44を制御するようにさらに構成され、プロセッサ41は、所定の条件が満足されるまでMBMSサービスのスケジューリングを継続し、その後、MBMSサービスのスケジューリングを停止する。
【０２１０】
メモリ42は、MBMSデータを記憶するように構成される。
【０２１１】
MCEは、MBMSサービスを受信するユーザ機器に関する統計を実行するためにeNBをまずトリガし、eNBの統計応答に従って、MBMSサービスのユーザ機器の量を決定し、MBMSサービスを受信するユーザ機器の量が所定のしきい値未満である時に、MCEは、MBMSサービスのスケジューリングを停止すると決定する。MCEは、MBMSサービスのスケジューリングを停止するようにeNBに命令し、MBMSサービスを受信するユーザ機器の量が所定のしきい値未満である場合に、たとえば、サービス1のスケジューリングを停止する。
【０２１２】
プロセッサ41は、MBMSサービスのスケジューリングの停止に関する、MCEによって送信された第1の通知を受信するために受信器43を制御する。MBMSサービスのスケジューリングの停止に関する第1の通知は、所定の条件が満足される時にMBMSサービスのスケジューリングが停止されることを示すのに使用され得る。所定の条件は、特定の時間の後、固定された時点、または類似物とすることができる。確かに、所定の条件は、別の指定された条件ともされ得る。
【０２１３】
オプションで、MBMSサービスのスケジューリングの停止に関する第1の通知は、MBMSサービスのスケジューリングの停止を遅延するようにeNBに命令するために、停止遅延指示をさらに担持することができる。さらに、MBMSサービスのスケジューリングの停止に関する第1の通知は、eNBに指定された時間が遅延された後にMBMSサービスのスケジューリングを停止するように命令するのに使用される、停止遅延時間長情報または停止タイムスタンプ情報をさらに含むことができる。
【０２１４】
たとえば、MCEが、サービス1のスケジューリングを停止すると決定する場合に、MCEは、サービス1のスケジューリングの停止に関する第1の通知をeNBに送信し、この通知は、サービス1のスケジューリングが停止されることを示すのに使用され得、あるいは、第1の通知は、サービス1のスケジューリングの停止を遅延させるようにeNBに命令するために、停止遅延指示を担持することができ、MBMSサービス停止遅延指示に従って、eNBは、ある時間期間の間にサービスのスケジューリングを継続し、その後、そのサービスのスケジューリングを停止する。スケジューリングの停止に関する受信された第1の通知に対するスケジューリング停止時刻の相対時間、たとえば10分、5分、2つの変更サイクル、もしくは別の時間情報を示すのに使用される、停止遅延時間をさらに指定することができ、あるいは、タイムスタンプ情報、たとえば12:30、12:40、もしくは別の特定のタイムスタンプ情報を指定することができる。
【０２１５】
オプションで、MBMSサービスのスケジューリングの停止に関する第1の通知は、MBMSスケジューリング情報を使用することによって搬送され、MBMSスケジューリング情報が、もはやMBMSサービスの構成情報を担持しない時には、これは、MBMSサービスのスケジューリングが停止されることを示す。
【０２１６】
MBMSサービスのスケジューリングの停止に関するMCEの第1の通知を受信するために受信器43を制御した後に、プロセッサ41は、MBMSサービススケジューリング停止情報をユーザ機器に送信するために送信器44をさらに制御する。
【０２１７】
プロセッサ41は、MBMSサービスの構成情報を担持しないポイントツーマルチポイント制御チャネルメッセージを使用することによって、MBMSサービススケジューリング停止情報をユーザ機器に送信するために送信器44を制御することができる。
【０２１８】
オプションで、MBMSサービススケジューリング停止情報は、MBMSサービスのスケジューリングの停止が遅延されることをユーザ機器に通知するために、停止遅延指示を担持することができる。
【０２１９】
オプションで、プロセッサ41が、サービススケジューリング停止情報についてユーザ機器に通知するために送信器44を制御するのと同時にまたはその後に、プロセッサ41は、MBMSのスケジューリングの停止が遅延されることをユーザ機器に通知するために停止遅延指示をさらに送信するために送信器44を制御する。
【０２２０】
MBMSサービス停止遅延指示は、ポイントツーマルチポイント制御チャネル、ページング制御チャネル、およびMBMS送信チャネルスケジューリング情報のうちのいずれか1つを使用することによってユーザ機器に送信され得る。具体的には、MBMSサービス停止遅延指示が、ポイントツーマルチポイント制御チャネルチャネルを使用することによって送信される場合に、MBMSサービス停止遅延指示は、ポイントツーマルチポイント制御チャネルチャネル上で搬送されるカウント要求メッセージを使用することによって送信され得、たとえば、MBMSサービス停止遅延指示は、カウント要求に追加される。MBMSサービス停止遅延指示が、MBMS送信チャネルスケジューリング情報を使用することによって送信される場合には、MBMSサービス停止遅延指示は、MBMS送信チャネルスケジューリング情報内のMBMSトラフィックチャネル停止位置指示(MTCH stop)フィールド内で特殊な値を使用することによって表され得る。
【０２２１】
プロセッサ41は、MBMSサービスを受信し続ける必要があるユーザ機器がユニキャストベアラの確立をトリガするようにするために、MBMSサービスをスケジューリングし続け、ユニキャストベアラのプロセス内では、MBMSサービスが中断されないか、中断時間が短縮される。
【０２２２】
プロセッサ41は、受信器43が、MBMSサービスのスケジューリングの停止に関する、MCEによって送信された第2の通知を受信し、MBMSサービスのスケジューリングの停止に関する第2の通知は、MBMSサービスのスケジューリングが停止されることを示すという条件、または、受信器43がMBMSサービスのスケジューリングの停止に関する第1の通知を受信した後に、MBMSサービスのスケジューリングの停止に関する第1の通知によって示された時点に達するという条件、または、受信器41がMBMSサービスのスケジューリングの停止に関する第1の通知を受信した後に、第1の所定の時間が経過するという条件、または、サービスのスケジューリングの停止に関する第1の通知が受信された後に、第2の所定の時点に達するという条件のうちの1つが満足される時に、MBMSサービスのスケジューリングを停止することができる。
【０２２３】
eNBのMBMSサービススケジューリング停止情報を受信した後に、ユーザ機器は、MBMSサービスが停止されると決定するが、ある時間期間の間、MSIをリスニングし続ける。ユーザ機器が、MBMSサービスを受信し続ける必要がある場合には、ユーザ機器は、ユニキャストベアラの確立をトリガすることができ、ユニキャストベアラが確立された後に、MBMSサービスに対応するポイント・ツー・マルチポイント・トラフィック・チャネルの受信を停止する。
【０２２４】
本発明の前述の実施形態において開示される方法は、プロセッサ41に適用され、またはプロセッサ41によって実施され得る。実施プロセスにおいて、前述の方法のステップは、ハードウェアの集積論理回路またはプロセッサ41内のソフトウェアの形内の命令を使用することによって完成され得る。本発明の実施形態において開示される方法、ステップ、および論理ブロック図は、実施されまたは実行され得る。本発明の実施形態において開示される方法に関連して、ステップは、ハードウェア復号プロセッサによって実施されるものとして直接に表され、または復号プロセッサ内のハードウェアモジュールおよびソフトウェアモジュールの組合せによって実施され得る。ソフトウェアモジュールは、ランダムアクセスメモリ、フラッシュメモリ、読取専用メモリ、プログラム可能読取専用メモリ、電気的消去可能プログラム可能読取専用メモリ、またはレジスタなど、当技術分野において成熟した記憶媒体内に配置され得る。記憶媒体は、メモリ42内に配置され、プロセッサ41は、メモリ42内の情報を読み取り、そのハードウェアとの組合せにおいて前述の方法のステップを完成させる。
【０２２５】
図11を参照すると、図11は、本発明の実施形態による、第2のユーザ機器の概略構造図である。この実施形態におけるユーザ機器140は、プロセッサ51、メモリ52、受信器53、およびバスシステム54を含む。
【０２２６】
プロセッサ51は、ユーザ機器140の動作を制御し、プロセッサ51は、CPU (Central Processing Unit、中央処理装置)とさらに呼ばれる場合がある。プロセッサ51は、集積回路チップとすることができ、信号処理能力を有する。プロセッサ51は、汎用プロセッサ、デジタル信号プロセッサ(DSP、Digital Signal Processing)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【０２２７】
メモリ52は、読取専用メモリおよびランダムアクセスメモリを含むことができ、命令およびデータをプロセッサ51に供給する。メモリ52の一部は、不揮発性ランダムアクセスメモリ(NVRAM)をさらに含むことができる。
【０２２８】
ユーザ機器140のコンポーネントは、バスシステム55を使用することによって一緒に結合され、データバスを含むことに加えて、バスシステム55は、電力バス、制御バス、および状態信号バスをさらに含む。バスシステムは、ISA (Industry Standard Architecture、インダストリアルスタンダードアーキテクチャ)バス、PCI (Peripheral Component Interconnect、ペリフェラルコンポーネントインターコネクト)バス、EISA (Extended Industry Standard Architecture、エクステンデッドインダストリアルスタンダードアーキテクチャ)バス、または類似物とすることができる。バスは、1つまたは複数の物理信号線とすることができ、バスが複数の物理信号線である時に、バスは、アドレスバス、データバス、制御バス、および類似物に分類され得る。本発明のいくつかの他の実施形態において、プロセッサ51、メモリ52、受信器53は、通信線を使用することによって直接に接続されることも可能である。しかし、明瞭な説明のために、様々なバスは、この図内ではバスシステム54としてマークされている。
【０２２９】
メモリ52は、モジュールまたはデータ構造を実行することができる以下の要素、要素のサブセット、または要素の拡張されたセットを記憶する。
様々な動作を実施するのに使用される、様々な動作命令を含む動作命令と、
様々な基本的なサービスを実施し、ハードウェアベースのタスクを処理するように構成される、様々なシステムプログラムを含むオペレーティングシステム。
【０２３０】
本発明のこの実施形態において、プロセッサ51は、メモリ52内に記憶された動作命令(動作命令は、オペレーティングシステム内に記憶され得る)を呼び出すことによって、以下の動作を実行する。
プロセッサ51は、基地局からMBMSサービススケジューリング停止情報を受信するために受信器53を制御し、所定の条件が満足される時に基地局がMBMSサービスのスケジューリングを停止すると決定し、MBMSサービスのスケジューリング情報をリスニングし続け、プロセッサ51によってリスニングされ入手されたMBMSサービスのスケジューリング情報に従ってMBMSサービスを受信するために受信器53を制御するように構成される。
【０２３１】
メモリ52は、MBMSサービスデータを記憶するように構成される。
【０２３２】
MBMSサービスのスケジューリングを停止すると決定する時に、MCEは、スケジューリング停止通知をeNBに送信し、eNBは、所定の条件が満足される時に、MBMSサービスのスケジューリングが停止されることをユーザ機器に通知するために、そのスケジューリングが停止されるMBMSサービスの関連情報についてユーザ機器に通知する。所定の条件は、所定の時間、所定の時点、または類似物とすることができる。確かに、所定の条件は、別の条件とすることもできる。
【０２３３】
eNBからMBMSサービススケジューリング停止情報を受信するために受信器53を制御した後に、プロセッサ51は、MBMSサービスのスケジューリングが停止されると決定する。受信器53は、ポイントツーマルチポイント制御チャネルメッセージを受信することができ、プロセッサ51は、そのメッセージがMBMSサービスの構成情報を担持しないことに従って、MBMSサービスのスケジューリングが停止されると決定し、あるいは、ポイントツーマルチポイント制御チャネルメッセージは、まだMBMSサービスの構成情報を担持するが、プロセッサ52は、MBMSサービススケジューリング停止情報内で担持され、スケジューリングが停止されることを示す指示に従って、MBMSサービスのスケジューリングが停止されると決定する。
【０２３４】
受信器53がMBMSサービススケジューリング停止通知を受信した後に、プロセッサ51は、MBMSサービスのスケジューリング情報をリスニングし続け、MBMSサービスのスケジューリング情報は、具体的にはMBMS送信チャネルスケジューリング情報(MSI)とすることができ、ユーザ機器は、MBMSサービスの、MSI内で示される送信位置に従って、MBMSサービスを受信し続ける。
【０２３５】
オプションで、MBMSサービススケジューリング停止情報は、MBMSサービスのスケジューリングの停止が遅延されることをユーザ機器に示すのに使用される停止遅延指示を担持し、プロセッサ51は、停止遅延指示に従ってMBMSサービスのスケジューリング情報をリスニングし続ける。
【０２３６】
オプションで、ユーザ機器が、MBMSサービススケジューリング停止情報を受信するのと同時にまたはその後に、受信器53は、eNBからMBMSサービス停止遅延指示を受信し、プロセッサ51は、MBMSサービス停止遅延指示に従ってMBMSサービスのスケジューリング情報をリスニングし続ける。
【０２３７】
受信器53は、ポイントツーマルチポイント制御チャネル、ページング制御チャネル、およびMBMS送信チャネルスケジューリング情報のうちのいずれか1つを使用することによって、MBMSサービス停止遅延指示を送信することができる。具体的には、MBMSサービス停止遅延指示が、ポイントツーマルチポイント制御チャネルチャネルを使用することによって受信される場合に、MBMSサービス停止遅延指示は、ポイントツーマルチポイント制御チャネルチャネル上で搬送されるカウント要求メッセージを使用することによって受信され得、たとえば、MBMSサービス停止遅延指示は、カウント要求内で担持される。MBMSサービス停止遅延指示が、MBMS送信チャネルスケジューリング情報を使用することによって受信される場合には、MBMSサービス停止遅延指示は、MBMS送信チャネルスケジューリング情報内のMBMSトラフィックチャネル停止位置指示(MTCH stop)フィールド内で特殊な値を使用することによって受信され得る。
【０２３８】
プロセッサ51は、プロセッサ51によってリスニングされ入手されるMBMSサービスのスケジューリング情報に従って、MBMSサービスを受信するために、受信器53をさらに制御する。具体的には、MBMSサービスのスケジューリング情報は、MBMS送信チャネルスケジューリング情報(MSI)であり、MBMSサービスのスケジューリング情報に従ってMBMSサービスを受信するステップは、MBMSサービスの、MSI内で示されるスケジューリング位置に従ってMBMSサービスを受信するステップを含む。
【０２３９】
ユーザ機器が、MBMSサービスを受信し続ける必要がある場合には、ユーザ機器は、プロセッサ51を使用することによって、ユニキャストベアラの確立をトリガし、ユニキャストベアラを確立するプロセス内で、プロセッサ51は、MBMSサービスのスケジューリング情報をリスニングし続ける。ユニキャストベアラが完全に確立された後に、プロセッサ51は、MBMSサービスに対応するポイント・ツー・マルチポイント・トラフィック・チャネルの受信を停止するために受信器53を制御し、ユニキャストベアラを使用することによってMBMSサービスを受信し続ける。
【０２４０】
確かに、MBMBサービスのスケジューリング情報が、MBMSサービスに関する情報をもはや含まない場合には、受信器53は、MBMSサービスの受信を停止するために制御される。
【０２４１】
本発明の前述の実施形態において開示される方法は、プロセッサ51に適用されまたはプロセッサ61によって実施され得る。実施プロセスにおいて、前述の方法のステップは、ハードウェアの集積論理回路またはプロセッサ51内のソフトウェアの形内の命令を使用することによって完成され得る。本発明の実施形態において開示される方法、ステップ、および論理ブロック図は、実施されまたは実行され得る。本発明の実施形態において開示される方法に関連して、ステップは、ハードウェア復号プロセッサによって実施されるものとして直接に表され、または復号プロセッサ内のハードウェアモジュールおよびソフトウェアモジュールの組合せによって実施され得る。ソフトウェアモジュールは、ランダムアクセスメモリ、フラッシュメモリ、読取専用メモリ、プログラム可能読取専用メモリ、電気的消去可能プログラム可能メモリ、またはレジスタなど、当技術分野において成熟した記憶媒体内に配置され得る。記憶媒体は、メモリ52内に配置され、プロセッサ51は、メモリ52内の情報を読み取り、そのハードウェアとの組合せにおいて前述の方法のステップを完成させる。
【０２４２】
図12を参照すると、図12は、本発明の実施形態による、第2のマルチセル/マルチキャスト調整エンティティの概略構造図である。この実施形態におけるマルチセル/マルチキャスト調整エンティティ150は、プロセッサ61、メモリ62、送信器63、およびバスシステム64を含む。
【０２４３】
プロセッサ61は、マルチセル/マルチキャスト調整エンティティ(MCE)150の動作を制御し、プロセッサ61は、CPU (Central Processing Unit、中央処理装置)とさらに呼ばれる場合がある。プロセッサ61は、集積回路チップとすることができ、信号処理能力を有する。プロセッサ61は、汎用プロセッサ、デジタル信号プロセッサ(DSP、Digital Signal Processing)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【０２４４】
メモリ62は、読取専用メモリおよびランダムアクセスメモリを含むことができ、命令およびデータをプロセッサ61に供給する。メモリ62の一部は、不揮発性ランダムアクセスメモリ(NVRAM)をさらに含むことができる。
【０２４５】
MCE 150のコンポーネントは、バスシステム64を使用することによって一緒に結合され、データバスを含むことに加えて、バスシステム64は、電力バス、制御バス、および状態信号バスをさらに含む。バスシステムは、ISA (Industry Standard Architecture、インダストリアルスタンダードアーキテクチャ)バス、PCI (Peripheral Component Interconnect、ペリフェラルコンポーネントインターコネクト)バス、EISA (Extended Industry Standard Architecture、エクステンデッドインダストリアルスタンダードアーキテクチャ)バス、または類似物とすることができる。バスは、1つまたは複数の物理信号線とすることができ、バスが複数の物理信号線である時に、バスは、アドレスバス、データバス、制御バス、および類似物に分類され得る。本発明のいくつかの他の実施形態において、プロセッサ61、メモリ62、および送信器63は、通信線を使用することによって直接に接続されることも可能である。しかし、明瞭な説明のために、様々なバスは、この図内ではバスシステム64としてマークされている。
【０２４６】
メモリ62は、モジュールまたはデータ構造を実行することができる以下の要素、要素のサブセット、または要素の拡張されたセットを記憶する。
様々な動作を実施するのに使用される、様々な動作命令を含む動作命令と、
様々な基本的なサービスを実施し、ハードウェアベースのタスクを処理するように構成される、様々なシステムプログラムを含むオペレーティングシステム。
【０２４７】
本発明のこの実施形態において、プロセッサ61は、メモリ62内に記憶された動作命令(動作命令は、オペレーティングシステム内に記憶され得る)を呼び出すことによって、以下の動作を実行する。
プロセッサ61は、一時停止される必要があるMBMSサービスを決定し、MBMSサービススケジューリング停止通知を基地局に送信するために送信器63を制御するように構成され、MBMSサービススケジューリング停止通知は、所定の条件が満足される時にMBMSサービスのスケジューリングが停止されることを基地局に通知し、プロセッサ61は、MBMSサービスのスケジューリングを継続するように基地局に命令する。
【０２４８】
メモリ62は、MBMSサービスデータを記憶するように構成される。
【０２４９】
MCEは、プロセッサ61を使用することによって、MBMSサービスを受信するユーザ機器に関する統計を実行するようにeNBをまずトリガし、eNBの統計応答に従って、MBMSサービスのユーザ機器の量を決定し、MBMSサービスを受信するユーザ機器の量が所定のしきい値未満である時に、MCEのプロセッサ61は、MBMSサービスのMBSFN送信の形を停止すると決定する。
【０２５０】
MBMSサービスが一時停止される必要があると決定する時に、プロセッサ61は、MBMSサービススケジューリング停止通知を基地局に送信するために送信器63を制御し、プロセッサ61は、MBMSサービスをスケジューリングし続けるように基地局に命令する。
【０２５１】
プロセッサ61は、MBMSスケジューリング情報を使用することによって、eNBの構成情報を更新することができ、更新された構成情報は、一時停止される必要があるMBMSサービスの構成情報をもはや担持せず、eNBに送信されるMBMSサービススケジューリング停止通知として使用される。
【０２５２】
プロセッサ61は、MBMSサービスのスケジューリングを停止するようにeNBに命令するために送信器63を制御し、MBMSサービスを受信するユーザ機器の量が所定のしきい値未満である場合に、たとえば、サービス1のスケジューリングを停止する。
【０２５３】
MBMSサービススケジューリング停止通知は、MBMSサービスのスケジューリングの停止を遅延するようにeNBに命令するために、停止遅延指示をさらに担持することができる。さらに、MBMSサービススケジューリング停止通知は、指定された時間が遅延された後にMBMSサービスのスケジューリングを停止するようにeNBに命令するのに使用される、停止遅延時間長情報または停止タイムスタンプ情報をさらに含むことができる。
【０２５４】
たとえば、MCEが、サービス1のスケジューリングを停止すると決定する場合に、プロセッサ61は、サービス1のスケジューリングの停止に関する通知をeNBに送信するために送信器63を制御し、この通知は、サービス1のスケジューリングが停止されることを示すのに使用され得、MBMSサービス停止遅延指示に従って、eNBは、ある時間期間の間にサービスのスケジューリングを継続し、その後、そのサービスのスケジューリングを停止する。さらに、この通知は、サービス1のスケジューリングの停止を遅延させるようにeNBに命令するために、停止遅延指示をさらに担持することができる。スケジューリングの停止に関する受信された第1の通知に対するスケジューリング停止時刻の相対時間、たとえば10分、5分、2つの変更サイクル、もしくは別の時間情報を示すのに使用される、停止遅延時間をさらに指定することができ、あるいは、タイムスタンプ情報、たとえば12:30、12:40、もしくは別の特定のタイムスタンプ情報を指定することができる。
【０２５５】
確かに、プロセッサ61が、MBMSサービススケジューリング停止通知を送信するために送信器63を制御するのと同時にまたはその後に、プロセッサ61は、MBMSサービスのスケジューリングの停止を遅延するようにeNBに命令するために、停止遅延指示を送信するために送信器63を制御することもできる。
【０２５６】
別の形は、プロセッサ61が、サービス1のスケジューリングの停止に関する第1の通知をeNBにまず送信するために送信器63を制御し、ここで、第1の通知は、サービス1のスケジューリングが停止されることを示し、その後、サービス1のスケジューリングの停止に関する第2の通知を送信するために送信器63を制御することであり、ここで、第2の通知は、eNBが直ちにサービス1のスケジューリングを停止することを直接に示す。
【０２５７】
オプションで、MBMSサービスのスケジューリングの停止に関する第1の通知は、MBMSスケジューリング情報を使用することによって搬送され、MBMSスケジューリング情報が、もはやMBMSサービスを担持しない時には、これは、MBMSサービスのスケジューリングが停止されることを示す。
【０２５８】
本発明の前述の実施形態において開示される方法は、プロセッサ61に適用されまたはプロセッサ61によって実施され得る。実施プロセスにおいて、前述の方法のステップは、ハードウェアの集積論理回路またはプロセッサ61内のソフトウェアの形内の命令を使用することによって完成され得る。本発明の実施形態において開示される方法、ステップ、および論理ブロック図は、実施されまたは実行され得る。本発明の実施形態において開示される方法に関連して、ステップは、ハードウェア復号プロセッサによって実施されるものとして直接に表され、または復号プロセッサ内のハードウェアモジュールおよびソフトウェアモジュールの組合せによって実施され得る。ソフトウェアモジュールは、ランダムアクセスメモリ、フラッシュメモリ、読取専用メモリ、プログラム可能読取専用メモリ、電気的消去可能プログラム可能メモリ、またはレジスタなど、当技術分野において成熟した記憶媒体内に配置され得る。記憶媒体は、メモリ62内に配置され、プロセッサ61は、メモリ62内の情報を読み取り、そのハードウェアとの組合せにおいて前述の方法のステップを完成させる。
【０２５９】
基地局、ユーザ機器、およびマルチセル/マルチキャスト調整エンティティの前述の実施形態において、eNBは、MCEによって送信されたMBMSサービススケジューリング停止通知を受信し、eNBは、MBMSサービススケジューリング停止情報についてユーザ機器に通知し、MBMSサービスのスケジューリングを継続する。このようにして、MCEは、MBMSサービスのスケジューリングを停止すると決定し、MBMSサービスを受信し続ける必要があるユーザ機器は、ユニキャストベアラを確立するプロセス内でサービスを受信し続けることもでき、これによって、ユーザ機器が、サービスのスケジューリングが停止された後にサービスを受信し続けることを必要とするのでユニキャストベアラを確立するプロセス内でのサービス中断時間を効果的に短縮し、ユーザによりよい使用経験を提供する。
【０２６０】
図13を参照すると、図13は、本発明の実施形態による、第1のグループ通信サーバの概略構造図である。この実施形態におけるグループ通信サーバ160は、第1の受信モジュール71、第2の受信モジュール72、および通知モジュール73を含む。
【０２６１】
第1の受信モジュール71は、ユーザ機器によって報告され、グループサービスがMBSFNを使用することによって受信されることを示す情報を受信するように構成される。
【０２６２】
グループ通信において、MBSFNエリア内で、グループサービスのデータは、MBMSサービス内で担持され、グループ通信サーバは、グループ内のユーザ機器を管理するように構成され、グループサービスのデータを受信する前に、ユーザ機器は、グループ通信サーバに登録することをまず必要とする。
【０２６３】
ユーザ機器が通信のためにMBSFNの形でグループ通信サーバを受信する場合に、ユーザ機器は、ユーザ機器がMBSFNの形でグループサービスを受信しつつあることを示す情報をグループ通信サーバに報告することができ、グループサービスに関する情報は、グループサービスのMBSFNエリア識別子と、グループサービスがその中に配置されているセルの識別子とのうちの少なくとも1つを含む。グループ通信サーバは、第1の受信モジュール71を使用することによって、ユーザ機器によって報告され、グループサービスがMBSFNを使用することによって受信されることを示す情報を受信する。
【０２６４】
第2の受信モジュール72は、グループサービスを受信するのに使用されるMBSFNの送信の停止に関する通知をMCEから受信するように構成される。
【０２６５】
MCEが、MBMSサービスのスケジューリングを停止すると決定する場合に、MCEが、MBMSサービスのスケジューリングを停止するようにeNBに命令する前に、MCEは、グループ通信サーバにまず通知する。MCEは、MCEによって停止されるサービスに関する情報、たとえばMBSFNエリア識別子、またはMBMSサーバ識別子をグループ通信サーバに報告することができる。
【０２６６】
グループ通信サーバは、第2の受信モジュール72を使用することによって、MBSFNの送信の停止に関する通知をMCEから受信する。
【０２６７】
通知モジュール73は、グループサービスを受信するのに使用されるMBSFNが停止された後に、ユーザ機器がユニキャストベアラを使用することによってグループサービスを受信し続けるようにするために、ユニキャストベアラを確立するようにユーザ機器に命令するように構成される。
【０２６８】
グループ通信サーバの第2の受信モジュール72がMBSFNの送信が停止されることを示す通知を受信した後に、通知モジュール73は、グループサービスを受信するのに使用されるMBSFNが停止された後に、グループサービスがMBSFNの代わりにユニキャストベアラを使用することによって受信され続けるようにするために、ユニキャストベアラを確立するようにユーザ機器に命令する。好ましくは、通知モジュール73は、グループサービスを受信し続ける必要があるユーザ機器だけに、ユニキャストベアラを確立するように命令することができる。
【０２６９】
グループサービスを受信し続ける必要があるユーザ機器は、MBSFNの送信が停止された後にユニキャストベアラ上でグループサービスを受信し続けるために、グループ通信サーバの通知に従ってユニキャストベアラの確立をトリガする。ユーザ機器がユニキャストベアラを確立した後に、グループ通信サーバは、MBSFNの送信を停止するようにMCEに命令する。
【０２７０】
具体的には、ユーザ機器がMBMSサービスを使用することによってグループ通信データを受信する場合に、ユーザ機器のアクセス層は、MBMSサービスが停止されると決定し、ユーザ機器の上位層に指示を送信し、ユーザ機器の上位層は、MBMSサービスに対応するグループサービスがMBSFNの形で受信され続けることができないことをグループ通信サーバに報告し、グループ通信サーバが要求を受信した後に、グループ通信サーバが、グループサービスがユーザ機器に送信され続ける必要があると決定する場合には、グループ通信サーバは、グループサービスを受信し続けるためにユニキャストベアラを確立するためにユーザ機器をトリガする。ユニキャストベアラは、ユーザ機器と基地局との間の、MBMSサービスを送信するのに使用される専用の無線ベアラである。
【０２７１】
MBMSサービスに対応するグループサービスがMBSFNの形で受信され続けることができないことをグループ通信サーバに報告する前に、ユーザ機器の上位層は、eNBへの接続を確立する必要がある。多数のユーザ機器が接続確立プロセスを同時に開始する時に引き起こされるネットワーク輻輳を避けるために、eNBのMBMSサービススケジューリング停止情報を受信した後に、ユーザ機器は、多数のユーザ機器がユニキャスト接続確立プロセスを同時にトリガすることを防ぐために、ランダムバックオフを実行することができる。具体的には、ユーザ機器は、所定のしきい値との比較のためにランダム係数を生成し、比較結果に従って、ユニキャスト確立プロセスのトリガの遅延を決定する。たとえば、所定のランダム係数は、0.5であり、ユーザによって生成される乱数は、0.6であり、0.6>0.5であり、したがって、ユーザは、10msの遅延の後に接続確立をトリガする。
【０２７２】
この実施形態によって提供されるグループ通信サーバは、図4内に示された実施形態内のステップを実施することができ、この実施形態におけるグループ通信サーバの機能モジュールの分割は、例示的であるのみであり、本発明の目的が達成され得るという前提の下で、グループ通信サーバの機能モジュールの分割は、前述の形に限定されず、別の可能な実施の形とすることができる。たとえば、複数のユニットまたはコンポーネントを、組み合わせるか別のシステムに一体化することができ、あるいは、特徴を無視するか実行されないものとすることができる。
【０２７３】
図14を参照すると、図14は、本発明の実施形態による、第3のマルチセル/マルチキャスト調整エンティティの概略構造図である。この実施形態におけるマルチセル/マルチキャスト調整エンティティ170は、決定モジュール81および通知モジュール82を含む。
【０２７４】
決定モジュール81は、停止される必要があるMBSFNの送信を決定するように構成される。
【０２７５】
決定モジュール81は、MBMSサービスを受信するユーザ機器に関する統計を実行するように基地局に命令し、基地局の統計応答に従って、MBMSサービスのユーザ機器の量を決定し、MBMSサービスを受信するユーザ機器の量が所定のしきい値未満である時に、MBMSサービスのMBSFN送信の形が停止される必要があると決定する。
【０２７６】
通知モジュール82は、決定モジュール81がMBSFNの送信が停止される必要があると決定した後に、MBSFNの送信が停止されることをグループ通信サーバに通知するように構成される。
【０２７７】
MCEが、MBMSサービスのMBSFNの送信を停止すると決定する時に、MCEがMBMSサービスのスケジューリングを停止するようにeNBに命令する前に、MCEは、通知モジュール82を使用することによってグループ通信サーバにまず通知する。MCEは、MCEによって停止されるサービスに関する情報、たとえばMBSFNエリア識別子またはMBMSサーバ識別子をグループ通信サーバに報告することができる。したがって、グループ通信サーバは、MBSFNの送信が停止された後にユーザ機器がMBSFNの代わりにユニキャストベアラを使用することによってグループサービスを受信し続けるようにするために、ユニキャストベアラを確立するようにユーザ機器に命令する。
【０２７８】
グループ通信サーバが、MBSFNの送信が停止されることを通知された後に、所定の時間期間の後に、eNBがMBMSサービスのスケジューリングを停止するようにするために、MBMSサービススケジューリング停止情報が、eNBに送信される。
【０２７９】
グループ通信サーバは、グループ通信サーバのグループ内のユーザ機器を管理するように構成され、MBSFNの送信が停止されることを示す通知を受信した後に、グループサービスを受信するMBSFNの送信が停止された後にグループサービスがユニキャストベアラを使用することによって受信され続けることもできるようにするために、グループ通信サーバは、ユニキャストベアラを確立するようにユーザ機器に命令することができる。
【０２８０】
この実施形態によって提供されるマルチセル/マルチキャスト調整エンティティは、図5内に示された実施形態内のステップを実施することができ、この実施形態におけるマルチセル/マルチキャスト調整エンティティの機能モジュールの分割は、例示的であるのみであり、本発明の目的が達成され得るという前提の下で、マルチセル/マルチキャスト調整エンティティの機能モジュールの分割は、前述の形に限定されず、別の可能な実施の形とすることができる。たとえば、複数のユニットまたはコンポーネントを、組み合わせるか別のシステムに一体化することができ、あるいは、特徴を無視するか実行されないものとすることができる。
【０２８１】
図15を参照すると、図15は、本発明の実施形態による、第3のユーザ機器の概略構造図である。この実施形態におけるユーザ機器180は、報告モジュール91およびユニキャストベアラ確立モジュール92を含む。
【０２８２】
報告モジュール91は、グループサービスがMBSFNを使用することによって受信されることを示す情報をグループ通信サーバに報告するように構成される。
【０２８３】
グループ通信において、MBSFNエリア内で、グループサービスのデータは、MBMSサービス内で担持され、グループ通信サーバは、グループ内のユーザ機器を管理するように構成され、グループサービスのデータを受信する前に、ユーザ機器は、グループ通信サーバに登録することをまず必要とする。したがって、報告モジュール91は、前もってグループ通信サーバに登録するようにさらに構成される。
【０２８４】
ユーザ機器がMBSFNの形でグループサービスを受信する場合に、ユーザ機器は、報告モジュール91を使用することによって、ユーザ機器がMBSFNの形でグループサービスを受信しつつあることを示す情報をグループ通信サーバに報告することができ、グループサービスに関する情報は、グループサービスのMBSFNエリア識別子と、グループサービスがその中に配置されているセルの識別子とのうちの少なくとも1つを含む。
【０２８５】
ユニキャストベアラ確立モジュール92は、グループ通信サーバのユニキャストベアラ確立通知に従ってユニキャストベアラを確立し、搬送されるグループサービスのスケジューリング情報をリスニングし続けるように構成される。
【０２８６】
MCEが、MBMSサービスのスケジューリングを停止すると決定する場合に、MCEが、MBMSサービスのスケジューリングを停止するようにeNBに命令する前に、MCEは、グループ通信サーバにまず通知する。MCEは、MCEによって停止されるサービスに関する情報、たとえばMBSFNエリア識別子、またはMBMSサーバ識別子をグループ通信サーバに報告することができる。
【０２８７】
グループ通信サーバは、MBSFNの送信が停止されることを示す通知をMCEから受信する。
【０２８８】
MBSFNの送信が停止されることを示す通知を受信した後に、グループ通信サーバは、ユニキャストベアラを使用することによってグループサービスを受信し続けるために、ユニキャストベアラを確立するようにユーザ機器に命令する。好ましくは、グループサービスを受信し続ける必要があるユーザ機器だけが、ユニキャストベアラを確立するように命令され得る。
【０２８９】
グループサービスを受信し続ける必要があるユーザ機器のユニキャストベアラ確立モジュール92は、MBSFNの送信が停止された後にユニキャストベアラ上でグループサービスを受信し続けるために、グループ通信サーバの通知に従ってユニキャストベアラの確立をトリガする。ユーザ機器がユニキャストベアラを確立した後に、グループ通信サーバは、MBSFNの送信を停止するようにMCEに命令する。
【０２９０】
ユニキャストベアラを確立するプロセスにおいて、ユーザ機器は、搬送されるグループサービスのスケジューリング情報をリスニングし続け、ユニキャストベアラが完全に確立された後に、ユーザ機器は、搬送されるグループサービスのスケジューリング情報のリスニングを停止し、ユニキャストベアラを使用することによって、グループサービスを受信し続ける。
【０２９１】
この実施形態によって提供されるユーザ機器は、図6内に示された実施形態内のステップを実施することができ、この実施形態におけるユーザ機器の機能モジュールの分割は、例示的であるのみであり、本発明の目的が達成され得るという前提の下で、ユーザ機器の機能モジュールの分割は、前述の形に限定されず、別の可能な実施の形とすることができる。たとえば、複数のユニットまたはコンポーネントを、組み合わせるか別のシステムに一体化することができ、あるいは、特徴を無視するか実行されないものとすることができる。
【０２９２】
図16を参照すると、図16は、本発明の実施形態による、第2のグループ通信サーバの概略構造図である。この実施形態におけるグループ通信サーバ190は、プロセッサ191、受信器193、メモリ192、およびバスシステム194を含む。
【０２９３】
プロセッサ191は、グループ通信サーバ190の動作を制御し、プロセッサ191は、CPU (Central Processing Unit、中央処理装置)とさらに呼ばれる場合がある。プロセッサ191は、集積回路チップとすることができ、信号処理能力を有する。プロセッサ191は、汎用プロセッサ、デジタル信号プロセッサ(DSP、Digital Signal Processing)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【０２９４】
メモリ192は、読取専用メモリおよびランダムアクセスメモリを含むことができ、命令およびデータをプロセッサ191に供給する。メモリ192の一部は、不揮発性ランダムアクセスメモリ(NVRAM)をさらに含むことができる。
【０２９５】
グループ通信サーバ190のコンポーネントは、バスシステム194を使用することによって一緒に結合され、データバスを含むことに加えて、バスシステム194は、電力バス、制御バス、および状態信号バスをさらに含む。バスシステムは、ISA (Industry Standard Architecture、インダストリアルスタンダードアーキテクチャ)バス、PCI (Peripheral Component Interconnect、ペリフェラルコンポーネントインターコネクト)バス、EISA (Extended Industry Standard Architecture、エクステンデッドインダストリアルスタンダードアーキテクチャ)バス、または類似物とすることができる。バスは、1つまたは複数の物理信号線とすることができ、バスが複数の物理信号線である時に、バスは、アドレスバス、データバス、制御バス、および類似物に分類され得る。本発明のいくつかの他の実施形態において、プロセッサ191、メモリ192、および受信器193は、通信線を使用することによって直接に接続されることも可能である。しかし、明瞭な説明のために、様々なバスは、この図内ではバスシステム194としてマークされている。
【０２９６】
メモリ192は、モジュールまたはデータ構造を実行することができる以下の要素、要素のサブセット、または要素の拡張されたセットを記憶する。
様々な動作を実施するのに使用される、様々な動作命令を含む動作命令と、
様々な基本的なサービスを実施し、ハードウェアベースのタスクを処理するように構成される、様々なシステムプログラムを含むオペレーティングシステム。
【０２９７】
本発明のこの実施形態において、プロセッサ191は、メモリ192内に記憶された動作命令(動作命令は、オペレーティングシステム内に記憶され得る)を呼び出すことによって、以下の動作を実行する。
プロセッサ191は、ユーザ機器によって報告され、グループサービスがMBSFNを使用することによって受信されることを示す情報を受信するために受信器193を制御し、MBSFNの送信の停止に関する通知をMCEから受信するために受信器193を制御し、ユーザ機器がユニキャストベアラを使用することによってグループサービスを受信し続けるようにするために、ユニキャストベアラを確立するようにユーザ機器に命令するように構成される。
【０２９８】
メモリ192は、グループサービスデータを記憶するように構成される。
【０２９９】
グループ通信において、MBSFNエリア内で、グループサービスのデータは、MBMSサービス内で担持され、グループ通信サーバは、グループ内のユーザ機器を管理するように構成され、グループサービスのデータを受信する前に、ユーザ機器は、グループ通信サーバに登録することをまず必要とする。
【０３００】
ユーザ機器が通信のためにMBSFNの形でグループ通信サーバを受信する場合に、ユーザ機器は、ユーザ機器がMBSFNの形でグループサービスを受信しつつあることを示す情報をグループ通信サーバに報告することができ、グループサービスに関する情報は、グループサービスのMBSFNエリア識別子と、グループサービスがその中に配置されているセルの識別子とのうちの少なくとも1つを含む。グループ通信サーバは、第1の受信モジュール71を使用することによって、ユーザ機器によって報告され、グループサービスがMBSFNを使用することによって受信されることを示す情報を受信する。
【０３０１】
MCEが、MBMSサービスのスケジューリングを停止すると決定する場合に、MCEが、MBMSサービスのスケジューリングを停止するようにeNBに命令する前に、MCEは、グループ通信サーバにまず通知する。MCEは、MCEによって停止されるサービスに関する情報、たとえばMBSFNエリア識別子、またはMBMSサーバ識別子をグループ通信サーバに報告することができる。
【０３０２】
グループ通信サーバのプロセッサ191は、MCEから、MBSFNの送信が停止されることを示す通知を受信するために受信器193を制御する。受信器193が、MBSFNの送信が停止されることを示す通知を受信した後に、プロセッサ191は、ユニキャストベアラを使用することによってグループサービスを受信し続けるために、ユニキャストベアラを確立するようにユーザ機器に命令する。好ましくは、プロセッサ191は、グループサービスを受信し続ける必要があるユーザ機器だけに、ユニキャストベアラを確立するように命令することができる。
【０３０３】
グループサービスを受信し続ける必要があるユーザ機器は、MBSFNの送信が停止された後にユニキャストベアラ上でグループサービスを受信し続けるために、グループ通信サーバの通知に従ってユニキャストベアラの確立をトリガする。ユーザ機器がユニキャストベアラを確立した後に、グループ通信サーバは、MBSFNの送信を停止するようにMCEに命令する。
【０３０４】
具体的には、ユーザ機器がMBMSサービスを使用することによってグループ通信データを受信する場合に、ユーザ機器のアクセス層は、MBMSサービスが停止されると決定し、ユーザ機器の上位層に指示を送信し、ユーザ機器の上位層は、MBMSサービスに対応するグループサービスがMBSFNの形で受信され続けることができないことをグループ通信サーバに報告し、グループ通信サーバが要求を受信した後に、グループ通信サーバが、グループサービスがユーザ機器に送信され続ける必要があると決定する場合には、グループ通信サーバは、グループサービスを受信し続けるためにユニキャストベアラを確立するためにユーザ機器をトリガする。ユニキャストベアラは、ユーザ機器と基地局との間の、MBMSサービスを送信するのに使用される専用の無線ベアラである。
【０３０５】
MBMSサービスに対応するグループサービスがMBSFNの形で受信され続けることができないことをグループ通信サーバに報告する前に、ユーザ機器の上位層は、eNBへの接続を確立する必要がある。多数のユーザ機器が接続確立プロセスを同時に開始する時に引き起こされるネットワーク輻輳を避けるために、eNBのMBMSサービススケジューリング停止情報を受信した後に、ユーザ機器は、多数のユーザ機器がユニキャスト接続確立プロセスを同時にトリガすることを防ぐために、ランダムバックオフを実行することができる。具体的には、ユーザ機器は、所定のしきい値との比較のためにランダム係数を生成し、比較結果に従って、ユニキャスト確立プロセスのトリガの遅延を決定する。たとえば、所定のランダム係数は、0.5であり、ユーザによって生成される乱数は、0.6であり、0.6>0.5であり、したがって、ユーザは、10msの遅延の後に接続確立をトリガする。
【０３０６】
本発明の前述の実施形態において開示される方法は、プロセッサ191に適用されまたはプロセッサ191によって実施され得る。実施プロセスにおいて、前述の方法のステップは、ハードウェアの集積論理回路またはプロセッサ191内のソフトウェアの形内の命令を使用することによって完成され得る。本発明の実施形態において開示される方法、ステップ、および論理ブロック図は、実施されまたは実行され得る。本発明の実施形態において開示される方法に関連して、ステップは、ハードウェア復号プロセッサによって実施されるものとして直接に表され、または復号プロセッサ内のハードウェアモジュールおよびソフトウェアモジュールの組合せによって実施され得る。ソフトウェアモジュールは、ランダムアクセスメモリ、フラッシュメモリ、読取専用メモリ、プログラム可能読取専用メモリ、電気的消去可能プログラム可能メモリ、またはレジスタなど、当技術分野において成熟した記憶媒体内に配置され得る。記憶媒体は、メモリ42内に配置され、プロセッサ191は、メモリ192内の情報を読み取り、そのハードウェアとの組合せにおいて前述の方法のステップを完成させる。
【０３０７】
図17を参照すると、図17は、本発明の実施形態による、第4のマルチセル/マルチキャスト調整エンティティの概略構造図である。この実施形態におけるマルチセル/マルチキャスト調整エンティティ200は、プロセッサ201、メモリ202、送信器203、およびバスシステム204を含む。
【０３０８】
プロセッサ201は、マルチセル/マルチキャスト調整エンティティ200の動作を制御し、プロセッサ201は、CPU (Central Processing Unit、中央処理装置)とさらに呼ばれる場合がある。プロセッサ201は、集積回路チップとすることができ、信号処理能力を有する。プロセッサ201は、汎用プロセッサ、デジタル信号プロセッサ(DSP、Digital Signal Processing)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【０３０９】
メモリ202は、読取専用メモリおよびランダムアクセスメモリを含むことができ、命令およびデータをプロセッサ201に供給する。メモリ202の一部は、不揮発性ランダムアクセスメモリ(NVRAM)をさらに含むことができる。
【０３１０】
マルチセル/マルチキャスト調整エンティティ200のコンポーネントは、バスシステム204を使用することによって一緒に結合され、データバスを含むことに加えて、バスシステム204は、電力バス、制御バス、および状態信号バスをさらに含む。バスシステムは、ISA (Industry Standard Architecture、インダストリアルスタンダードアーキテクチャ)バス、PCI (Peripheral Component Interconnect、ペリフェラルコンポーネントインターコネクト)バス、EISA (Extended Industry Standard Architecture、エクステンデッドインダストリアルスタンダードアーキテクチャ)バス、または類似物とすることができる。バスは、1つまたは複数の物理信号線とすることができ、バスが複数の物理信号線である時に、バスは、アドレスバス、データバス、制御バス、および類似物に分類され得る。本発明のいくつかの他の実施形態において、プロセッサ201、メモリ202、および送信器203は、通信線を使用することによって直接に接続されることも可能である。しかし、明瞭な説明のために、様々なバスは、この図内ではバスシステム204としてマークされている。
【０３１１】
メモリ202は、モジュールまたはデータ構造を実行することができる以下の要素、要素のサブセット、または要素の拡張されたセットを記憶する。
様々な動作を実施するのに使用される、様々な動作命令を含む動作命令と、
様々な基本的なサービスを実施し、ハードウェアベースのタスクを処理するように構成される、様々なシステムプログラムを含むオペレーティングシステム。
【０３１２】
本発明のこの実施形態において、プロセッサ201は、メモリ202内に記憶された動作命令(動作命令は、オペレーティングシステム内に記憶され得る)を呼び出すことによって、以下の動作を実行する。
プロセッサ201は、一時停止される必要があるMBMSサービスを決定し、MBMSサービススケジューリング停止通知を基地局に送信するために送信器203を制御するように構成され、MBMSサービススケジューリング停止通知は、MBMSサービスのスケジューリングが停止されることを示し、プロセッサ201は、MBMSサービスのスケジューリングを継続するように基地局に命令する。
【０３１３】
メモリ202は、MBMSサービスデータを記憶するように構成される。
【０３１４】
プロセッサ201は、MBMSサービスを受信するユーザ機器に関する統計を実行するように基地局に命令し、基地局の統計応答に従って、MBMSサービスのユーザ機器の量を決定し、MBMSサービスを受信するユーザ機器の量が所定のしきい値未満である時に、MBMSサービスのMBSFN送信の形が停止される必要があると決定する。
【０３１５】
MCEが、MBMSサービスのMBSFNの送信を停止すると決定する時に、MCEがMBMSサービスのスケジューリングを停止するようにeNBに命令する前に、プロセッサ201は、グループ通信サーバにまず通知するために送信器203を制御する。送信器203は、MCEによって停止されるサービスに関する情報、たとえばMBSFNエリア識別子またはMBMSサーバ識別子をグループ通信サーバに報告することができる。したがって、グループ通信サーバは、MBSFNの送信が停止された後にユーザ機器がMBSFNの代わりにユニキャストベアラを使用することによってグループサービスを受信し続けるようにするために、ユニキャストベアラを確立するようにユーザ機器に命令する。
【０３１６】
グループ通信サーバが、MBSFNの送信が停止されることを通知された後に、所定の時間期間の後に、eNBがMBMSサービスのスケジューリングを停止するようにするために、MBMSサービススケジューリング停止情報が、eNBに送信される。
【０３１７】
グループ通信サーバは、グループ通信サーバのグループ内のユーザ機器を管理するように構成され、MBSFNの送信が停止されることを示す通知を受信した後に、グループサービスを受信するMBSFNの送信が停止された後にグループサービスがユニキャストベアラを使用することによって受信され続けることもできるようにするために、グループ通信サーバは、ユニキャストベアラを確立するようにユーザ機器に命令することができる。
【０３１８】
本発明の前述の実施形態において開示される方法は、プロセッサ201に適用されまたはプロセッサ201によって実施され得る。実施プロセスにおいて、前述の方法のステップは、ハードウェアの集積論理回路またはプロセッサ201内のソフトウェアの形内の命令を使用することによって完成され得る。本発明の実施形態において開示される方法、ステップ、および論理ブロック図は、実施されまたは実行され得る。本発明の実施形態において開示される方法に関連して、ステップは、ハードウェア復号プロセッサによって実施されるものとして直接に表され、または復号プロセッサ内のハードウェアモジュールおよびソフトウェアモジュールの組合せによって実施され得る。ソフトウェアモジュールは、ランダムアクセスメモリ、フラッシュメモリ、読取専用メモリ、プログラム可能読取専用メモリ、電気的消去可能プログラム可能メモリ、またはレジスタなど、当技術分野において成熟した記憶媒体内に配置され得る。記憶媒体は、メモリ202内に配置され、プロセッサ201は、メモリ202内の情報を読み取り、そのハードウェアとの組合せにおいて前述の方法のステップを完成させる。
【０３１９】
図18を参照すると、図18は、本発明の実施形態による、第4のユーザ機器の概略構造図である。この実施形態におけるユーザ機器210は、プロセッサ211、メモリ212、受信器213、およびバスシステム204を含む。
【０３２０】
プロセッサ211は、ユーザ機器210の動作を制御し、プロセッサ211は、CPU (Central Processing Unit、中央処理装置)とさらに呼ばれる場合がある。プロセッサ211は、集積回路チップとすることができ、信号処理能力を有する。プロセッサ211は、汎用プロセッサ、デジタル信号プロセッサ(DSP、Digital Signal Processing)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【０３２１】
メモリ212は、読取専用メモリおよびランダムアクセスメモリを含むことができ、命令およびデータをプロセッサ211に供給する。メモリ212の一部は、不揮発性ランダムアクセスメモリ(NVRAM)をさらに含むことができる。
【０３２２】
ユーザ機器210のコンポーネントは、バスシステム214を使用することによって一緒に結合され、データバスを含むことに加えて、バスシステム214は、電力バス、制御バス、および状態信号バスをさらに含む。バスシステムは、ISA (Industry Standard Architecture、インダストリアルスタンダードアーキテクチャ)バス、PCI (Peripheral Component Interconnect、ペリフェラルコンポーネントインターコネクト)バス、EISA (Extended Industry Standard Architecture、エクステンデッドインダストリアルスタンダードアーキテクチャ)バス、または類似物とすることができる。バスは、1つまたは複数の物理信号線とすることができ、バスが複数の物理信号線である時に、バスは、アドレスバス、データバス、制御バス、および類似物に分類され得る。本発明のいくつかの他の実施形態において、プロセッサ211、メモリ212、および受信器213は、通信線を使用することによって直接に接続されることも可能である。しかし、明瞭な説明のために、様々なバスは、この図内ではバスシステム214としてマークされている。
【０３２３】
メモリ212は、モジュールまたはデータ構造を実行することができる以下の要素、要素のサブセット、または要素の拡張されたセットを記憶する。
様々な動作を実施するのに使用される、様々な動作命令を含む動作命令と、
様々な基本的なサービスを実施し、ハードウェアベースのタスクを処理するように構成される、様々なシステムプログラムを含むオペレーティングシステム。
【０３２４】
本発明のこの実施形態において、プロセッサ211は、メモリ212内に記憶された動作命令(動作命令は、オペレーティングシステム内に記憶され得る)を呼び出すことによって、以下の動作を実行する。
プロセッサ211は、MBSFNを使用することによってグループサービスが受信されることを示す情報をグループ通信サーバに報告し、グループ通信サーバの通知を受信するために受信器213を制御し、グループ通信サーバの通知に従って、グループサービスが受信され続ける必要がある時に、ユニキャストベアラを確立し、搬送されるグループサービスのスケジューリング情報をリスニングし続けるように構成される
【０３２５】
メモリ212は、データを記憶するように構成される。
【０３２６】
グループ通信において、MBSFNエリア内で、グループサービスのデータは、MBMSサービス内で担持され、グループ通信サーバは、グループ内のユーザ機器を管理するように構成され、グループサービスのデータを受信する前に、ユーザ機器は、グループ通信サーバに登録することをまず必要とする。
【０３２７】
ユーザ機器がMBSFNの形でグループサービスを受信する場合に、プロセッサ211は、ユーザ機器がMBSFNの形でグループサービスを受信しつつあることを示す情報をグループ通信サーバに報告することができ、グループサービスに関する情報は、グループサービスのMBSFNエリア識別子と、グループサービスがその中に配置されているセルの識別子とのうちの少なくとも1つを含む。
【０３２８】
MCEが、MBMSサービスのスケジューリングを停止すると決定する場合に、MCEが、MBMSサービスのスケジューリングを停止するようにeNBに命令する前に、MCEは、グループ通信サーバにまず通知する。MCEは、MCEによって停止されるサービスに関する情報、たとえばMBSFNエリア識別子、またはMBMSサーバ識別子をグループ通信サーバに報告することができる。
【０３２９】
グループ通信サーバは、MBSFNの送信が停止されることを示す通知をMCEから受信する。
【０３３０】
MBSFNの送信が停止されることを示す通知を受信した後に、グループ通信サーバは、ユニキャストベアラを使用することによってグループサービスを受信し続けるために、ユニキャストベアラを確立するようにユーザ機器に命令する。好ましくは、グループサービスを受信し続ける必要があるユーザ機器だけが、ユニキャストベアラを確立するように命令され得る。
【０３３１】
グループサービスを受信し続ける必要があるユーザ機器のプロセッサ211は、MBSFNの送信が停止された後にユニキャストベアラ上でグループサービスを受信し続けるために、グループ通信サーバの通知に従ってユニキャストベアラの確立をトリガする。ユーザ機器がユニキャストベアラを確立した後に、グループ通信サーバは、MBSFNの送信を停止するようにMCEに命令する。
【０３３２】
ユニキャストベアラを確立するプロセスにおいて、プロセッサ211は、搬送されるグループサービスのスケジューリング情報をリスニングし続け、ユニキャストベアラが完全に確立された後に、プロセッサ211は、搬送されるグループサービスのスケジューリング情報のリスニングを停止し、ユニキャストベアラを使用することによって、グループサービスを受信し続ける。
【０３３３】
本発明の前述の実施形態において開示される方法は、プロセッサ211に適用されまたはプロセッサ211によって実施され得る。実施プロセスにおいて、前述の方法のステップは、ハードウェアの集積論理回路またはプロセッサ211内のソフトウェアの形内の命令を使用することによって完成され得る。本発明の実施形態において開示される方法、ステップ、および論理ブロック図は、実施されまたは実行され得る。本発明の実施形態において開示される方法に関連して、ステップは、ハードウェア復号プロセッサによって実施されるものとして直接に表され、または復号プロセッサ内のハードウェアモジュールおよびソフトウェアモジュールの組合せによって実施され得る。ソフトウェアモジュールは、ランダムアクセスメモリ、フラッシュメモリ、読取専用メモリ、プログラム可能読取専用メモリ、電気的消去可能プログラム可能メモリ、またはレジスタなど、当技術分野において成熟した記憶媒体内に配置され得る。記憶媒体は、メモリ212内に配置され、プロセッサ211は、メモリ212内の情報を読み取り、そのハードウェアとの組合せにおいて前述の方法のステップを完成させる。
【０３３４】
グループ通信サーバ、ユーザ機器、およびマルチセル/マルチキャスト調整エンティティの前述の実施形態の詳細な説明を介して、本発明の実施形態において、MCEが、停止される必要があるMBSFNの送信を停止すると決定する時に、MCEがeNBに通知する前に、MCEは、グループ内のユーザ機器を管理するグループ通信サーバにまず通知し、グループ通信サーバは、ユニキャストベアラを確立するようにユーザ機器に命令し、ユーザ機器がユニキャストベアラを確立した後に、MBSFNの送信を停止するようにMCEに命令することが、理解され得る。このようにして、MCEが、MBSFNの送信を停止すると決定する時に、MBSFNを使用することによってグループサービスを受信し続ける必要があるユーザ機器は、グループ通信サーバの通知に従ってユニキャストベアラをまず確立し、これによって、グループサービスが中断されるのを防ぎ、よりよい使用経験をユーザに提供する。
【０３３５】
前述の実施形態の説明を介して、MCEがサービスのスケジューリングを停止すると決定した後に、サービスを受信し続ける必要があるUEが、ユニキャストベアラを確立する必要があり、本発明が、ユニキャストベアラを確立するプロセス内で引き起こされるサービス中断時間をどのようにして短縮することを目指すのかが理解され得る。
【０３３６】
本発明の実施形態によって提供されるサービス継続性を維持する方法およびデバイスによれば、基地局は、MCEによって送信されたMBMSサービススケジューリング停止通知を受信し、基地局は、MBMSサービススケジューリング停止情報についてユーザ機器に通知し、MBMSサービスのスケジューリングを継続する。このようにして、MCEは、MBMSサービスのスケジューリングを停止すると決定し、MBMSサービスを受信し続ける必要があるユーザ機器は、ユニキャストベアラを確立するプロセス内でサービスを受信し続けることもでき、これによって、ユーザ機器が、サービスのスケジューリングが停止された後にサービスを受信し続けることを必要とするのでユニキャストベアラを確立するプロセス内でのサービス中断時間を効果的に短縮し、ユーザによりよい使用経験を提供する。
【０３３７】
別の態様によれば、本発明の実施形態は、サービス継続性を維持する方法およびデバイスをさらに提供し、ここで、MCEが、停止される必要があるMBSFNの送信を停止すると決定する時に、MCEがeNBに通知する前に、MCEは、グループ内のユーザ機器を管理するグループ通信サーバにまず通知し、グループ通信サーバは、ユニキャストベアラを確立するようにユーザ機器に命令し、ユーザ機器がユニキャストベアラを確立した後に、MBSFNの送信を停止するようにMCEに命令する。このようにして、MCEが、MBSFNの送信を停止すると決定する時に、MBSFNを使用することによってグループサービスを受信し続ける必要があるユーザ機器は、グループ通信サーバの通知に従ってユニキャストベアラをまず確立し、これによって、グループサービスが中断されるのを防ぎ、よりよい使用経験をユーザに提供する。
【０３３８】
本願によって提供される複数の実施形態において、開示されるシステム、装置、および方法が、他の形で実施され得ることを理解されたい。たとえば、説明される装置実施形態は、単に例示的である。たとえば、モジュール分割またはユニット分割は、単に論理的機能分割であり、実際の実施態様において他の分割とされ得る。たとえば、複数のユニットまたはコンポーネントを、組み合わせるか別のシステムに一体化することができ、あるいは、特徴を無視するか実行されないものとすることができる。さらに、示されまたは議論される相互結合、直接結合、または通信接続は、何らかのインターフェースを使用することによって実施され得る。装置またはユニットの間の直接結合または通信接続は、電子的な形、機械的な形、または他の形で実施され得る。
【０３３９】
別々の部分として説明されるユニットは、物理的に別々であってもなくてもよく、ユニットとして示される部分は、物理ユニットであってもなくてもよく、1つの位置に配置されてもよく、あるいは、複数のネットワークユニット上で分散されてもよい。ユニットの一部またはすべてが、実施形態の解決策の目的を達成するための実際の必要に従って選択され得る。
【０３４０】
さらに、本願の実施形態内の機能ユニットが、1つの処理ユニットに統合されてもよく、ユニットのそれぞれが物理的に単独で存在してもよく、あるいは、2つ以上のユニットが、1つのユニットに統合される。統合されたユニットは、ハードウェアの形で実施されてもよく、またはソフトウェア機能ユニットの形で実施されてもよい。
【０３４１】
統合されたユニットが、ソフトウェア機能ユニットの形で実施され、独立の製品として販売されまたは使用される時に、統合されたユニットは、コンピュータ可読記憶媒体内に記憶され得る。そのような理解に基づいて、本質的に本願の技術的解決策、従来技術に貢献する部分、または技術的解決策のすべてもしくは一部は、ソフトウェア製品の形で実施され得る。コンピュータソフトウェア製品は、記憶媒体内に記憶され、本願の実施形態内で説明された方法のステップのすべてまたは一部を実行するようにコンピュータデバイス(パーソナルコンピュータ、サーバ、またはマルチセル/マルチキャスト調整エンティティとすることができる)またはプロセッサ(processor)に命令するための複数の命令を含む。前述の記憶媒体は、USBフラッシュドライブ、リムーバブルハードディスク、読取専用メモリ(ROM、Read-Only Memory)、ランダムアクセスメモリ(RAM、Random Access Memory)、磁気ディスク、または光ディスクなど、プログラムコードを記憶することのできる任意の媒体を含む。
【０３４２】
前述の説明は、単に本願の実施形態であり、本願の範囲を限定することは意図されていない。本願の明細書および図面の内容を使用することによって作られる同等の構造的変更もしくは同等のプロセス変更、または明細書および図面の内容の別の関連する技術分野への直接のもしくは間接の応用は、本願の保護範囲に含まれなければならない。
【符号の説明】
【０３４３】
11  受信モジュール
12  スケジューリングモジュール
21  第1の受信モジュール
22  リスニングモジュール
23  第2の受信モジュール
31  決定モジュール
32  スケジューリングモジュール
41  プロセッサ
42  メモリ
43  受信器
44  送信器
45  バスシステム
51  プロセッサ
52  メモリ
53  受信器
54  バスシステム
61  プロセッサ
62  メモリ
63  送信器
64  バスシステム
71  第1の受信モジュール
72  第2の受信モジュール
73  通知モジュール
81  決定モジュール
82  通知モジュール
91  報告モジュール
92  ユニキャストベアラ確立モジュール
100  基地局
110  ユーザ機器
120  マルチセル/マルチキャスト調整エンティティ
130  基地局
140  ユーザ機器
150  マルチセル/マルチキャスト調整エンティティ
160  グループ通信サーバ
170  マルチセル/マルチキャスト調整エンティティ
180  ユーザ機器
190  グループ通信サーバ
191  プロセッサ
192  メモリ
193  受信器
194  バスシステム
200  マルチセル/マルチキャスト調整エンティティ
201  プロセッサ
202  メモリ
203  送信器
204  バスシステム
210  ユーザ機器
211  プロセッサ
212  メモリ
213  受信器
214  バスシステム
【図１】
2019083572.tif 000003
【図２】
2019083572.tif 000004
【図３】
2019083572.tif 000005
【図４】
2019083572.tif 000006
【図５】
2019083572.tif 000007
【図６】
2019083572.tif 000008
【図７】
2019083572.tif 000009
【図８】
2019083572.tif 000010
【図９】
2019083572.tif 000011
【図１０】
2019083572.tif 000012
【図１１】
2019083572.tif 000013
【図１２】
2019083572.tif 000014
【図１３】
2019083572.tif 000015
【図１４】
2019083572.tif 000016
【図１５】
2019083572.tif 000017
【図１６】
2019083572.tif 000018
【図１７】
2019083572.tif 000019
【図１８】
2019083572.tif 000020
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
デバイスであって、
プロセッサと、
非一時的なメモリと、を含み、前記メモリは、実行命令を記憶し、前記プロセッサが、前記実行命令を実行するとき、前記デバイスが、
マルチメディアブロードキャストマルチキャストサービス（MBMSサービス）のスケジューリングの停止に関する、マルチセル/マルチキャスト調整エンティティによって送信された第1の通知を受信するステップであって、前記MBMSサービスのスケジューリングの停止に関する前記第1の通知は、前記マルチセル/マルチキャスト調整エンティティが前記MBMSサービスを一時停止すると決定する時に前記マルチセル/マルチキャスト調整エンティティによって基地局に送信される通知である、受信するステップと、
前記MBMSサービスのスケジューリングの停止に関する前記第1の通知に従って、MBMSサービススケジューリング停止情報をユーザ機器に送信するステップであって、前記MBMSサービススケジューリング停止情報は、前記MBMSサービスのスケジューリングが停止されることを前記ユーザ機器に通知するために、前記MBMSサービスのスケジューリングが停止されることを示す指示を担持する、送信するステップと、
所定の条件が満足されるまで前記MBMSサービスのスケジューリングを継続し、その後、前記MBMSサービスのスケジューリングを停止するステップと
を実行することを可能にする、デバイス。
【請求項２】
前記MBMSサービスのスケジューリングの停止に関する前記第1の通知は、前記MBMSサービスのスケジューリングの停止を遅延させるように前記基地局に命令するために、停止遅延指示を担持する、請求項1に記載のデバイス。
【請求項３】
前記所定の条件は、
前記MBMSサービスのスケジューリングの停止に関する、前記マルチセル/マルチキャスト調整エンティティによって送信された第2の通知が受信され、前記MBMSサービスのスケジューリングの停止に関する前記第2の通知は、前記基地局が前記MBMSサービスのスケジューリングを停止することを示すという条件、
前記MBMSサービスのスケジューリングの停止に関する前記第1の通知が受信された後に、前記MBMSサービスのスケジューリングの停止に関する前記第1の通知によって示された時点に達するという条件、
前記MBMSサービスのスケジューリングの停止に関する前記第1の通知が受信された後に、第1の所定の時間が経過するという条件、および
前記MBMSサービスのスケジューリングの停止に関する前記第1の通知が受信された後に、第2の所定の時点に達するという条件
のうちの1つである、請求項2に記載のデバイス。
【請求項４】
前記MBMSサービスのスケジューリングの停止に関する前記第1の通知は、停止遅延時間長情報または所定の停止タイムスタンプ情報を含む、請求項2に記載のデバイス。
【請求項５】
前記基地局は、ポイントツーマルチポイント制御チャネル、ページング制御チャネル、およびMBMS送信チャネルスケジューリング情報のうちの任意の1つを使用することによって、前記MBMSサービスのスケジューリングが停止されることを示す前記指示を送信する、請求項1に記載のデバイス。
【請求項６】
デバイスであって、
プロセッサと、
非一時的なメモリと、を含み、前記メモリは、実行命令を記憶し、前記プロセッサが、前記実行命令を実行するとき、前記デバイスが、
基地局からマルチメディアブロードキャストマルチキャストサービス（MBMSサービス）スケジューリング停止情報を受信し、前記基地局がMBMSサービスのスケジューリングを停止すると決定するステップと、
ユーザ機器によって、前記MBMSサービスのスケジューリング情報をリスニングし続けるステップと、
前記MBMSサービスの前記スケジューリング情報に従って前記MBMSサービスを受信するステップと
を実行することを可能にする、デバイス。
【請求項７】
前記MBMSサービススケジューリング停止情報は、前記MBMSサービスのスケジューリングが停止されることを示し、前記MBMSのスケジューリングが停止されることをユーザ機器に示すのに使用される指示を担持し、前記ユーザ機器は、前記MBMSサービスのスケジューリングが停止されることを示す前記指示に従って、前記基地局が前記MBMSサービスのスケジューリングを停止すると決定する、請求項6に記載のデバイス。
【請求項８】
前記MBMSサービスのスケジューリングが停止されることを示す前記指示は、ポイントツーマルチポイント制御チャネル、ページング制御チャネル、およびMBMS送信チャネルスケジューリング情報のうちの任意の1つを使用することによって受信される、請求項7に記載のデバイス。
【請求項９】
前記デバイスはチップデバイスである、請求項1から8のいずれか一項に記載のデバイス。
【手続補正２】
【補正対象書類名】明細書
【補正対象項目名】０００５
【補正方法】変更
【補正の内容】
【０００５】
MCEは、統計的な形で、サービスを受信するUEに関する統計を実行するように命令し、サービスを受信するUEの量が特定の量より少ない時には、MCEは、サービスのMBSFN送信を一時停止すると決定することができる。特定の実施プロセスは、次の通りである。MCEは、サービスのMBSFN送信を一時停止すると決定し、MBMSスケジューリング情報を使用することによってeNBの構成を更新し、サービスに関する情報は、もはや新しい構成において搬送されず、eNBは、サービス構成を更新するようにUEに命令し、サービスに関する情報は、もはや新しいサービス構成において搬送されず、更新されたサービス構成を受信した後に、サービスに関する情報が新しい構成情報に含まれないことをUEが見つける場合に、UEは、そのサービスが停止されていると考え、UEが、そのサービスを受信し続けることを期待する場合には、UEは、ユニキャストサービスの確立をもう一度トリガする必要があり、ユニキャストサービスを使用することによってMBMSサービスを受信し続ける。
【手続補正３】
【補正対象書類名】明細書
【補正対象項目名】００８８
【補正方法】変更
【補正の内容】
【００８８】
オプションで、eNBが、サービススケジューリング停止情報についてユーザ機器に通知するのと同時にまたはその後に、eNBは、MBMSサービスのスケジューリングの停止が遅延されることをユーザ機器に通知するために停止遅延指示をさらに送信する。所定の条件が満足された時にMBMSサービスのスケジューリングが停止された後に、MBMSサービスのスケジューリングは、停止される。
【手続補正４】
【補正対象書類名】明細書
【補正対象項目名】００９４
【補正方法】変更
【補正の内容】
【００９４】
もう1つのケースは、MCEが、MBMSサービスのスケジューリングの停止に関する第1の通知に停止遅延指示を直接に追加し、スケジューリング停止時点は、事前に定義された時点であり、たとえば、MBMSサービスのスケジューリングの停止に関する第1の通知が受信された後の次の後の変更サイクルの開始時にスケジューリングを停止すること、あるいは、第1の通知内で担持される停止遅延指示が、特定の遅延時間を示すことができ、eNBが、MBMSサービスのスケジューリングの停止に関するMCEの第1の通知を受信した後にある時間期間が遅延された後にサービスのスケジューリングを停止し、または第1の通知によって示される時点が到着した後にMBMSサービスのスケジューリングを停止することである。
【手続補正５】
【補正対象書類名】明細書
【補正対象項目名】０１２２
【補正方法】変更
【補正の内容】
【０１２２】
オプションで、MBMSサービスのスケジューリングの停止に関する第1の通知は、MBMSスケジューリング情報を使用することによって搬送され、MBMSスケジューリング情報が、もはやMBMSサービスの構成情報を担持しない時には、これは、MBMSサービスのスケジューリングが停止されることを示す。
【手続補正６】
【補正対象書類名】明細書
【補正対象項目名】０１３４
【補正方法】変更
【補正の内容】
【０１３４】
MBMSサービスに対応するグループサービスがMBSFNの形で受信され続けることができないことをグループ通信サーバに報告する前に、ユーザ機器の上位層は、eNBへの接続を確立する必要がある。多数のユーザ機器が接続確立プロセスを同時に開始する時に引き起こされるネットワーク輻輳を避けるために、eNBのMBMSサービススケジューリング停止情報を受信した後に、ユーザ機器は、多数のユーザ機器がユニキャスト接続確立プロセスを同時にトリガすることを防ぐために、ランダムバックオフを実行することができる。具体的には、ユーザ機器は、所定のしきい値との比較のためにランダム係数を生成し、比較結果に従って、ユニキャスト確立プロセスのトリガの遅延を決定する。たとえば、所定のランダム係数は、0.5であり、ユーザによって生成される乱数は、0.6であり、0.6>0.5であり、したがって、ユーザ機器は、10msの遅延の後に接続確立をトリガする。
【手続補正７】
【補正対象書類名】明細書
【補正対象項目名】０１５３
【補正方法】変更
【補正の内容】
【０１５３】
図7を参照すると、図7は、本発明の実施形態による、第1の基地局100の概略構造図である。この実施形態における基地局100は、受信モジュール11とスケジューリングモジュール12とを含む。
【手続補正８】
【補正対象書類名】明細書
【補正対象項目名】０１６８
【補正方法】変更
【補正の内容】
【０１６８】
スケジューリングモジュール12は、以下の条件すなわち、受信モジュール11が、MBMSサービスのスケジューリングの停止に関する、MCEによって送信された第2の通知を受信し、MBMSサービスのスケジューリングの停止に関する第2の通知は、MBMSサービスのスケジューリングが停止されることを示すという条件、または、受信モジュール11が、MBMSサービスのスケジューリングの停止に関する第1の通知を受信した後に、MBMSサービスのスケジューリングの停止に関する第1の通知によって示された時点に達するという条件、または、受信モジュール11が、MBMSサービスのスケジューリングの停止に関する第1の通知を受信した後に、第1の所定の時間が経過するという条件、または、サービスのスケジューリングの停止に関する第1の通知が受信された後に、第2の所定の時点に達するという条件のうちの1つが満足される時に、MBMSサービスのスケジューリングを停止する。
【手続補正９】
【補正対象書類名】明細書
【補正対象項目名】０１８７
【補正方法】変更
【補正の内容】
【０１８７】
確かに、MBMSサービスのスケジューリング情報が、MBMSサービスの構成情報をもはや含まない場合には、第2の受信モジュール23は、MBMSサービスの受信を停止する。
【手続補正１０】
【補正対象書類名】明細書
【補正対象項目名】０２０５
【補正方法】変更
【補正の内容】
【０２０５】
プロセッサ41は、基地局130の動作を制御し、プロセッサ41は、CPU (Central Processing Unit、中央処理装置)とさらに呼ばれる場合がある。プロセッサ41は、集積回路チップとすることができ、信号処理能力を有する。プロセッサ41は、汎用プロセッサ、デジタル信号プロセッサ(DSP、Digital Signal Processor)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【手続補正１１】
【補正対象書類名】明細書
【補正対象項目名】０２２２
【補正方法】変更
【補正の内容】
【０２２２】
プロセッサ41は、受信器43が、MBMSサービスのスケジューリングの停止に関する、MCEによって送信された第2の通知を受信し、MBMSサービスのスケジューリングの停止に関する第2の通知は、MBMSサービスのスケジューリングが停止されることを示すという条件、または、受信器43がMBMSサービスのスケジューリングの停止に関する第1の通知を受信した後に、MBMSサービスのスケジューリングの停止に関する第1の通知によって示された時点に達するという条件、または、受信器43がMBMSサービスのスケジューリングの停止に関する第1の通知を受信した後に、第1の所定の時間が経過するという条件、または、サービスのスケジューリングの停止に関する第1の通知が受信された後に、第2の所定の時点に達するという条件のうちの1つが満足される時に、MBMSサービスのスケジューリングを停止することができる。
【手続補正１２】
【補正対象書類名】明細書
【補正対象項目名】０２２６
【補正方法】変更
【補正の内容】
【０２２６】
プロセッサ51は、ユーザ機器140の動作を制御し、プロセッサ51は、CPU (Central Processing Unit、中央処理装置)とさらに呼ばれる場合がある。プロセッサ51は、集積回路チップとすることができ、信号処理能力を有する。プロセッサ51は、汎用プロセッサ、デジタル信号プロセッサ(DSP、Digital Signal Processor)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【手続補正１３】
【補正対象書類名】明細書
【補正対象項目名】０２４０
【補正方法】変更
【補正の内容】
【０２４０】
確かに、MBMSサービスのスケジューリング情報が、MBMSサービスに関する情報をもはや含まない場合には、受信器53は、MBMSサービスの受信を停止するために制御される。
【手続補正１４】
【補正対象書類名】明細書
【補正対象項目名】０２４１
【補正方法】変更
【補正の内容】
【０２４１】
本発明の前述の実施形態において開示される方法は、プロセッサ51に適用されまたはプロセッサ51によって実施され得る。実施プロセスにおいて、前述の方法のステップは、ハードウェアの集積論理回路またはプロセッサ51内のソフトウェアの形内の命令を使用することによって完成され得る。本発明の実施形態において開示される方法、ステップ、および論理ブロック図は、実施されまたは実行され得る。本発明の実施形態において開示される方法に関連して、ステップは、ハードウェア復号プロセッサによって実施されるものとして直接に表され、または復号プロセッサ内のハードウェアモジュールおよびソフトウェアモジュールの組合せによって実施され得る。ソフトウェアモジュールは、ランダムアクセスメモリ、フラッシュメモリ、読取専用メモリ、プログラム可能読取専用メモリ、電気的消去可能プログラム可能メモリ、またはレジスタなど、当技術分野において成熟した記憶媒体内に配置され得る。記憶媒体は、メモリ52内に配置され、プロセッサ51は、メモリ52内の情報を読み取り、そのハードウェアとの組合せにおいて前述の方法のステップを完成させる。
【手続補正１５】
【補正対象書類名】明細書
【補正対象項目名】０２４３
【補正方法】変更
【補正の内容】
【０２４３】
プロセッサ61は、マルチセル/マルチキャスト調整エンティティ(MCE)150の動作を制御し、プロセッサ61は、CPU (Central Processing Unit、中央処理装置)とさらに呼ばれる場合がある。プロセッサ61は、集積回路チップとすることができ、信号処理能力を有する。プロセッサ61は、汎用プロセッサ、デジタル信号プロセッサ(DSP、Digital Signal Processor)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【手続補正１６】
【補正対象書類名】明細書
【補正対象項目名】０２９３
【補正方法】変更
【補正の内容】
【０２９３】
プロセッサ191は、グループ通信サーバ190の動作を制御し、プロセッサ191は、CPU (Central Processing Unit、中央処理装置)とさらに呼ばれる場合がある。プロセッサ191は、集積回路チップとすることができ、信号処理能力を有する。プロセッサ191は、汎用プロセッサ、デジタル信号プロセッサ(DSP、Digital Signal Processor)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【手続補正１７】
【補正対象書類名】明細書
【補正対象項目名】０３０８
【補正方法】変更
【補正の内容】
【０３０８】
プロセッサ201は、マルチセル/マルチキャスト調整エンティティ200の動作を制御し、プロセッサ201は、CPU (Central Processing Unit、中央処理装置)とさらに呼ばれる場合がある。プロセッサ201は、集積回路チップとすることができ、信号処理能力を有する。プロセッサ201は、汎用プロセッサ、デジタル信号プロセッサ(DSP、Digital Signal Processor)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【手続補正１８】
【補正対象書類名】明細書
【補正対象項目名】０３１９
【補正方法】変更
【補正の内容】
【０３１９】
図18を参照すると、図18は、本発明の実施形態による、第4のユーザ機器の概略構造図である。この実施形態におけるユーザ機器210は、プロセッサ211、メモリ212、受信器213、およびバスシステム214を含む。
【手続補正１９】
【補正対象書類名】明細書
【補正対象項目名】０３２０
【補正方法】変更
【補正の内容】
【０３２０】
プロセッサ211は、ユーザ機器210の動作を制御し、プロセッサ211は、CPU (Central Processing Unit、中央処理装置)とさらに呼ばれる場合がある。プロセッサ211は、集積回路チップとすることができ、信号処理能力を有する。プロセッサ211は、汎用プロセッサ、デジタル信号プロセッサ(DSP、Digital Signal Processor)、特定用途向け集積回路(ASIC、Application Specific Integrated Circuit)、フィールドプログラマブルゲートアレイ(FPGA、Field-Programmable Gate Array)、もしくは別のプログラマブル論理デバイス、ディスクリートゲートもしくはトランジスタ論理デバイス、またはディスクリートハードウェアコンポーネントとすることができる。汎用プロセッサは、マイクロプロセッサとすることができ、あるいは、プロセッサは、任意の従来のプロセッサおよび類似物とすることができる。
【外国語明細書】
2019083572000001.pdf